(57)【要約】  ランダムアクセスチャネルリソース設定方法及びシステムである。通信分野に関し、ＬＴＥ／ＬＴＥ−ＡシステムにおけるＭＴＣ  ＵＥアクセスの問題を解決する。該方法は、第１のノードが１つ又は複数のランダムアクセスチャネル設定情報によって指示されるランダムアクセスチャネルリソース設定情報を第２のノードへ送信することを含む。本発明の実施例に係る技術的解決手段は、ＬＴＥ／ＬＴＥ−Ａネットワークに適用され、ＬＴＥ／ＬＴＥ−ＡシステムにおけるＭＴＣ  ＵＥに対するランダムアクセスチャネルリソース設定を実現する。【選択図】図２
2016527831.tif 000002
【特許請求の範囲】
【請求項１】
第１のノードが、１つ又は複数のランダムアクセスチャネル設定情報によって指示されるランダムアクセスチャネルリソース設定情報を第２のノードへ送信することを含むランダムアクセスチャネルリソース設定方法。
【請求項２】
前記ランダムアクセスチャネル設定情報には少なくとも第１のリソースの設定情報が含まれ、前記第１のリソースは、
前記第２のノードに割り当てられた、ランダムアクセスシグナリングを送信するためのリソース、
前記第２のノードに割り当てられた、ランダムアクセスシグナリングを送信するための開始リソース、のうちの１つである請求項１に記載のランダムアクセスチャネルリソース設定方法。
【請求項３】
前記第１のリソースは時間領域で１つ又は複数の第１の時間領域の計量単位を占有し、周波数領域で１つ又は複数の第１の周波数領域の計量単位を占有する請求項２に記載のランダムアクセスチャネルリソース設定方法。
【請求項４】
前記第１の時間領域の計量単位は、
フレーム（Ｆｒａｍｅ）、サブフレーム（Ｓｕｂｆｒａｍｅ）、ハーフフレーム、タイムスロット、ＯＦＤＭシンボル、物理リソースブロック（ＰＲＢ）、物理リソースブロックグループのうちの１つである請求項３に記載のランダムアクセスチャネルリソース設定方法。
【請求項５】
前記第１の周波数領域の計量単位は、
サブキャリア、物理リソースブロック（ＰＲＢ）、物理リソースブロックグループのうちの１つである請求項３に記載のランダムアクセスチャネルリソース設定方法。
【請求項６】
前記第１のリソースの設定情報は、
前記第１のリソースの設定インデックス情報、
前記第１のリソースの周波数領域オフセット情報、のうちの少なくとも１つを含む請求項３に記載のランダムアクセスチャネルリソース設定方法。
【請求項７】
前記第１のリソースの設定インデックス情報は、
前記第１の時間領域の計量単位で表され、且つシステムにより設定され又は第１のノードにより送信される１つの予め定義された時間領域サイクル内において、前記第１のリソースの前記予め定義された時間領域サイクル内で占有する時間領域位置の分布情報、
前記第１の時間領域の計量単位で表され、且つシステムにより設定され又は前記第１のノードにより送信される１つの予め定義された時間領域サイクル内における、前記第１のリソースの数量情報、
前記ランダムアクセスシグナリングのフォーマット情報、
前記第１のリソースが周波数ホッピングをサポートするかどうかの情報、
前記第１のリソースの周波数ホッピングパターン情報、のうちのいずれか１つ又は任意の複数の情報を指示する請求項６に記載のランダムアクセスチャネルリソース設定方法。
【請求項８】
前記システムによる設定は、標準による設定又はネットワークによる設定又はネットワーク上位層による設定を意味する請求項７に記載のランダムアクセスチャネルリソース設定方法。
【請求項９】
前記第１のリソースの周波数領域での位置情報は、前記第１のリソースの周波数領域オフセット情報によって確定される請求項６に記載のランダムアクセスチャネルリソース設定方法。
【請求項１０】
前記第１のリソースの周波数領域での位置情報は、
前記第１のリソースの周波数領域での開始リソース位置の情報、
前記第１のリソースの周波数領域での終了リソース位置の情報、
前記第１のリソースの周波数領域で占有するリソース位置の情報、のうちの少なくとも１つである請求項６に記載のランダムアクセスチャネルリソース設定方法。
【請求項１１】
前記開始リソース位置の情報、終了リソース位置の情報、占有するリソース位置の情報は第１の周波数領域の計量単位で計測される請求項１０に記載のランダムアクセスチャネルリソース設定方法。
【請求項１２】
前記第１のリソースの周波数領域位置分布情報は前記第１のリソースの周波数領域オフセット情報及び前記第１のリソースの設定インデックス情報によって確定される請求項６に記載のランダムアクセスチャネルリソース設定方法。
【請求項１３】
前記第１のリソースの周波数領域での位置が複数ある請求項１２に記載のランダムアクセスチャネルリソース設定方法。
【請求項１４】
同一の前記時間領域位置での複数の前記第１のリソースは、周波数領域での位置が異なる請求項１３に記載のランダムアクセスチャネルリソース設定方法。
【請求項１５】
前記ランダムアクセスチャネル設定情報は、
前記第１のリソースの周波数領域位置分布間隔情報を更に含む請求項６に記載のランダムアクセスチャネルリソース設定方法。
【請求項１６】
前記第１のリソースの周波数領域位置分布情報は、前記第１のリソースの周波数領域オフセット情報、第１のリソースの周波数領域位置分布間隔情報及び前記第１のリソースの設定インデックス情報によって確定される請求項１５に記載のランダムアクセスチャネルリソース設定方法。
【請求項１７】
ランダムアクセスチャネルリソース設定情報が複数のランダムアクセスチャネル設定情報で指示される場合、それぞれのランダムアクセスチャネル設定情報に含まれる第１のリソースの設定情報が異なる請求項１に記載のランダムアクセスチャネルリソース設定方法。
【請求項１８】
前記ランダムアクセスチャネルリソースは１セット又は複数セットのランダムアクセスチャネルリソースサブセットに分けられ、前記ランダムアクセスチャネルリソースサブセットの間は時分割多重化及び／又は周波数分割多重化及び／又は符号分割多重化の方式で前記ランダムアクセスチャネルリソースを多重化する請求項６又は１５に記載のランダムアクセスチャネルリソース設定方法。
【請求項１９】
前記ランダムアクセスチャネルリソースサブセットの間が時分割多重化の方式で前記ランダムアクセスチャネルリソースを多重化する場合、
前記第１のリソースのうちの、時間領域位置が１つの予め定義された時間領域セット内にある前記第１のリソースを、１つのランダムアクセスチャネルリソースサブセットに割り当て、又は、
前記第１のリソースのうちの、時間領域位置が１つの予め定義された時間領域セット内にあり且つ同一の周波数領域位置を持つ前記第１のリソースを、１つのランダムアクセスチャネルリソースサブセットに割り当て、又は、
前記第１のリソースのうちの、時間領域位置が１つの予め定義された時間領域セット内にあり且つ予め定義された周波数領域位置にある前記第１のリソースを、１つのランダムアクセスチャネルリソースサブセットに割り当てる請求項１８に記載のランダムアクセスチャネルリソース設定方法。
【請求項２０】
前記予め定義された時間領域セットには１つ又は複数の時間領域時間点が含まれ、且つ前記時間領域時間点が前記第１の時間領域の計量単位で計測され、前記１つ又は複数の時間領域時間点が時間領域で連続的に又は離散的に分布する請求項１９に記載のランダムアクセスチャネルリソース設定方法。
【請求項２１】
前記予め定義された周波数領域位置は、
隣接する２つの前記時間領域時間点での前記第１のリソースの周波数領域位置が異なるという条件、及び／又は、
前記予め定義された周波数領域位置にはＮ種の異なる周波数領域位置を有し、且つ前記予め定義された時間領域セットをＮ個のサブセットに分け、それぞれのサブセットにおける前記第１のリソースの周波数領域位置は前記予め定義された周波数領域位置のうちの１種に対応し、Ｎは１以上の整数であるという条件を満たす必要がある請求項２０に記載のランダムアクセスチャネルリソース設定方法。
【請求項２２】
前記ランダムアクセスチャネルリソースサブセットの間が周波数分割多重化の方式で前記ランダムアクセスチャネルリソースを多重化する場合、
前記第１のリソースのうちの、周波数領域位置が１つの予め定義された周波数領域セット内にある前記第１のリソースを、１つのランダムアクセスチャネルリソースサブセットに割り当て、又は、
前記第１のリソースのうちの、周波数領域位置が１つの予め定義された周波数領域セット内にあり且つ予め定義された時間領域位置にある前記第１のリソースを、１つのランダムアクセスチャネルリソースサブセットに割り当てる請求項１８に記載のランダムアクセスチャネルリソース設定方法。
【請求項２３】
前記予め定義された周波数領域セットには１つ又は複数の周波数領域点が含まれ、且つ前記周波数領域点が前記第１の周波数領域の計量単位で計測され、前記１つ又は複数の周波数領域点が周波数領域で連続的に又は離散的に分布する請求項２２に記載のランダムアクセスチャネルリソース設定方法。
【請求項２４】
前記予め定義された時間領域位置には１つ又は複数の時間領域時間点が含まれ、且つ前記時間領域時間点が前記第１の時間領域の計量単位で計測され、前記１つ又は複数の時間領域時間点が時間領域で連続的に又は離散的に分布する請求項２２に記載のランダムアクセスチャネルリソース設定方法。
【請求項２５】
前記ランダムアクセスチャネルリソースサブセットの間が時分割多重化及び周波数分割多重化の方式で前記ランダムアクセスチャネルリソースを多重化する場合、１つの予め定義されたセット内の前記第１のリソースを１つのランダムアクセスチャネルリソースサブセットに割り当てる請求項１９に記載のランダムアクセスチャネルリソース設定方法。
【請求項２６】
前記予め定義されたセットにおける要素は１つ又は複数のソーティングされた後の前記第１のリソースである請求項２３に記載のランダムアクセスチャネルリソース設定方法。
【請求項２７】
前記第１のリソースのソーティング規則はシステムによって設定される請求項２６に記載のランダムアクセスチャネルリソース設定方法。
【請求項２８】
前記ランダムアクセスチャネルリソースサブセットの間が符号分割多重化の方式で前記ランダムアクセスチャネルリソースを多重化する場合、
１つのランダムアクセスチャネルリソースサブセットは少なくとも１つの予め定義されたランダムアクセスシーケンスセットからなる請求項１９に記載のランダムアクセスチャネルリソース設定方法。
【請求項２９】
前記予め定義されたランダムアクセスシーケンスセットには１つ又は複数のランダムアクセスシーケンスが含まれる請求項２８に記載のランダムアクセスチャネルリソース設定方法。
【請求項３０】
前記ランダムアクセスチャネルリソースサブセットは、１種のタイプ又は複数種のタイプの前記第２のノードがランダムアクセスシーケンスを送信することをサポートする請求項１９又は２２又は２８に記載のランダムアクセスチャネルリソース設定方法。
【請求項３１】
前記第２のノードは、
第２のノードがサポートする必要があるカバレッジ拡大レベル、
第２のノードがサポートする必要があるランダムアクセスシーケンスの送信の繰り返し回数、
第２のノードが物理ブロードキャストチャネル（ＰＢＣＨ）を復号することに成功した場合の、使用するＰＢＣＨチャネルの繰り返し回数、
第２のノードがマスタ情報ブロック（ＭＩＢ）メッセージを復号することに成功した場合の、ＭＩＢメッセージの繰り返し回数、
第２のノードがシステム情報ブロック（ＳＩＢ）メッセージを復号することに成功した場合の、ＳＩＢメッセージの繰り返し回数、
第２のノードがＰＢＣＨを復号することに成功した場合の、ＭＩＢメッセージの繰り返し回数、のうちの１つの原則に応じてタイプを分ける請求項３０に記載のランダムアクセスチャネルリソース設定方法。
【請求項３２】
前記第２のノードは１つ又は複数の端末であり、又は１つ又は複数の端末グループである請求項３１に記載のランダムアクセスチャネルリソース設定方法。
【請求項３３】
前記第１のノードは、
マクロセル（Ｍａｃｒｏｃｅｌｌ）、マイクロセル（Ｍｉｃｒｏｃｅｌｌ）、ピコセル（Ｐｉｃｏｃｅｌｌ）、ホームセル（Ｆｅｍｔｏｃｅｌｌ）、低電力ノード（ＬＰＮ）、リレー（Ｒｅｌａｙ）、スモールセル（Ｓｍａｌｌ  Ｃｅｌｌ）のうちの少なくとも１つである請求項７に記載のランダムアクセスチャネルリソース設定方法。
【請求項３４】
前記第１のノードが第２のノードへランダムアクセスチャネルリソース設定情報を送信するステップの後、
前記第２のノードが前記ランダムアクセスチャネル設定情報に基づいて、対応するランダムアクセスチャネルリソースを確定し、前記ランダムアクセスチャネルリソースを用いて前記第１のノードにランダムアクセスシグナリングを送信することを更に含む請求項７に記載のランダムアクセスチャネルリソース設定方法。
【請求項３５】
前記第２のノードが前記ランダムアクセスチャネル設定情報に基づいて、対応するランダムアクセスチャネルリソースを確定し、前記ランダムアクセスチャネルリソースを用いて前記第１のノードにランダムアクセスシグナリングを送信するステップの後、
前記第２のノードが送信した前記ランダムアクセスシグナリングに応答するように、前記第１のノードが前記第２のノードへランダムアクセス応答シグナリングを送信することを更に含む請求項３４に記載のランダムアクセスチャネルリソース設定方法。
【請求項３６】
前記ランダムアクセス応答シグナリングには、１つ又は複数の前記第２のノードのランダムアクセス応答情報が含まれる請求項３５に記載のランダムアクセスチャネルリソース設定方法。
【請求項３７】
システム又は前記第１のノードにより前記１つ又は複数の第２のノードを設定する請求項３６に記載のランダムアクセスチャネルリソース設定方法。
【請求項３８】
前記１つ又は複数の第２のノードは、
前記１つ又は複数の前記第２のノードが同一の前記タイプに属すること、
前記１つ又は複数の前記第２のノードがサポートする必要があるカバレッジ拡大レベルは同じであること、
前記１つ又は複数の前記第２のノードがサポートする必要があるランダムアクセスシーケンスの送信の繰り返し回数は同じであること、
前記１つ又は複数の前記第２のノードが計算して得たＲＡ−ＲＮＴＩは同じであること、のいずれか１つ又は任意の複数種のプロパティを有する請求項３６に記載のランダムアクセスチャネルリソース設定方法。
【請求項３９】
前記１つ又は複数の前記第２のノードのタイプはシステムによって設定され、
前記１つ又は複数の前記第２のノードがサポートする必要があるカバレッジ拡大レベルはシステムによって設定され、
前記１つ又は複数の前記第２のノードがサポートする必要があるランダムアクセスシーケンスの送信の繰り返し回数はシステムによって設定される請求項３６に記載のランダムアクセスチャネルリソース設定方法。
【請求項４０】
前記ランダムアクセス応答シグナリングの繰り返し送信の回数情報が前記第１のノードによって指示される請求項３５に記載のランダムアクセスチャネルリソース設定方法。
【請求項４１】
前記第１のノードは、
ダウンリンク制御情報において前記ランダムアクセス応答シグナリングの繰り返し送信の回数情報を指示すること、
前記第１のノードの送信したＰＢＣＨがサポートする最大繰り返し回数情報と、前記ランダムアクセス応答シグナリングの繰り返し送信の回数情報とは１つのマッピング関係が存在すること、
前記第１のノードの送信したＭＩＢ情報がサポートする最大繰り返し回数情報と、前記ランダムアクセス応答シグナリングの繰り返し送信の回数情報とは１つのマッピング関係が存在すること、
前記第１のノードの送信したＳＩＢ情報がサポートする最大繰り返し回数情報と、前記ランダムアクセス応答シグナリングの繰り返し送信の回数情報とは１つのマッピング関係が存在すること、
ＰＢＣＨがサポートする繰り返し回数情報と、前記ランダムアクセス応答シグナリングの繰り返し送信の回数情報とは１つのマッピング関係が存在すること、
ＭＩＢがサポートする繰り返し回数情報と、前記ランダムアクセス応答シグナリングの繰り返し送信の回数情報とは１つのマッピング関係が存在すること、
ＳＩＢがサポートする繰り返し回数情報と、前記ランダムアクセス応答シグナリングの繰り返し送信の回数情報とは１つのマッピング関係が存在すること、のうちの少なくとも１つの方式で前記ランダムアクセス応答シグナリングの繰り返し送信の回数情報を指示する請求項４０に記載のランダムアクセスチャネルリソース設定方法。
【請求項４２】
前記ランダムアクセス応答シグナリングの繰り返し送信の回数情報は前記第２のノードのタイプ又はカバレッジ拡大レベル又はサポートするランダムアクセスシーケンスの送信の繰り返し回数で指示される請求項３５に記載のランダムアクセスチャネルリソース設定方法。
【請求項４３】
第１のノード及び第２のノードを備え、
前記第１のノードは、前記第２のノードに１つ又は複数のランダムアクセスチャネル設定情報指示を含むランダムアクセスチャネルリソース設定情報を送信するように設定されるランダムアクセスチャネルリソース設定システム。
【請求項４４】
前記第２のノードは１つ又は複数の端末であり、又は１つ又は複数の端末グループである請求項４３に記載のランダムアクセスチャネルリソース設定システム。
【請求項４５】
前記第１のノードは、
Ｍａｃｒｏｃｅｌｌ、Ｍｉｃｒｏｃｅｌｌ、Ｐｉｃｏｃｅｌｌ、ホームセル、ＬＰＮ、Ｒｅｌａｙ、Ｓｍａｌｌ  Ｃｅｌｌのうちの少なくとも１つである請求項４３に記載のランダムアクセスチャネルリソース設定システム。
【請求項４６】
前記第２のノードは、前記ランダムアクセスチャネル設定情報に基づいて、対応するランダムアクセスチャネルリソースを確定し、前記ランダムアクセスチャネルリソースを用いて前記第１のノードにランダムアクセスシグナリングを送信するように設定され、
前記第１のノードは更に、前記第２のノードが送信した前記ランダムアクセスシグナリングに応答するように、前記第２のノードにランダムアクセス応答シグナリングを送信するように設定される請求項４３に記載のランダムアクセスチャネルリソース設定システム。
【発明の詳細な説明】
【技術分野】
【０００１】
本発明は通信分野に関し、特にランダムアクセスチャネルリソース設定方法及びシステムに関する。
【背景技術】
【０００２】
マシンタイプコミュニケーション（Ｍａｃｈｉｎｅ  Ｔｙｐｅ  Ｃｏｍｍｕｎｉｃａｔｉｏｎ、ＭＴＣ）ユーザ端末（ＭＴＣ  Ｕｓｅｒ  Ｅｑｕｉｐｍｅｎｔ、ＭＴＣ  ＵＥと略称する）は、マシンツーマシン（Ｍａｃｈｉｎｅ  ｔｏ  Ｍａｃｈｉｎｅ、  Ｍ２Ｍと略称する）ユーザ通信装置とも称され、この段階ではユビキタスネットワークの主な応用形態である。低消費電力、低コストは、大規模な応用のための重要な保証である。現在市場で展開されているＭ２Ｍデバイスは主にモバイル通信グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システムに基づく。近年、ロングタームエボリューション（Ｌｏｎｇ  Ｔｅｒｍ  Ｅｖｏｌｕｔｉｏｎ、ＬＴＥ）／ＬＴＥの進化版（ＬＴＥ−Ａ：ＬＴＥ−Ａｄｖａｎｃｅｄ）のスペクトル効率の向上に伴い、より多くの携帯電話事業者は、広帯域無線通信システムの進化の今後の方向性として、ＬＴＥ／ＬＴＥ−Ａを選択する。ＬＴＥ／ＬＴＥ−Ａに基づくＭ２Ｍの多くの種類のデータサービスもより魅力的になる。ＬＴＥ−Ｍ２ＭデバイスのコストがＧＳＭシステムのＭＴＣ端末より低くする場合のみに、Ｍ２Ｍサービスは本当にＧＳＭからＬＴＥシステムに移行することができる。
【０００３】
従来、ＭＴＣユーザ端末コストを削減する主な選択肢として、端末受信アンテナの数を削減すること、端末ベースバンド処理帯域幅を低減すること、端末がサポートするピークレートを低減すること、半二重モードを採用することなどが挙げられる。しかしながら、コスト削減はその性能低下を意味し、ＬＴＥ／ＬＴＥ−Ａシステムセルカバレッジの要件が低減してはならないため、低コストの構成のＭＴＣ端末は、従来のＬＴＥ端末のカバレッジ性能要件を達成するために、いくつかの措置を取る必要がある。また、ＭＴＣ端末は、一般のＬＴＥ  ＵＥより悪いシーン、例えば地下、コーナー等の位置に配置される場合がある。透過損失によるカバレッジ低下を補償するために、一部のＭＴＣ  ＵＥはより高い性能の向上を必要とし、従ってこのようなシーンに対して一部のＭＴＣ  ＵＥのアップリンク・ダウンリンクカバレッジ拡大を行う必要がある。どのようにユーザのアクセスの品質を確保するかは、最初に考慮すべき問題であり、ＬＴＥ／ＬＴＥ−Ａシステムのランダムアクセスチャネル（Ｐｈｙｓｉｃａｌ  Ｒａｎｄｏｍ  Ａｃｃｅｓｓ  Ｃｈａｎｎｅｌ、ＰＲＡＣＨと略称する）に対して拡大設計を行って、ＭＴＣ  ＵＥがシステムに正常にアクセスできることを確保する必要がある。
【０００４】
2016527831.tif 000003
2016527831.tif 000004
【０００５】
2016527831.tif 000005
【０００６】
ＭＴＣ  ＵＥがシステムに正常にアクセスできることを確保するように、ＬＴＥ／ＬＴＥ−Ａシステムのランダムアクセスチャネル（Ｐｈｙｓｉｃａｌ  Ｒａｎｄｏｍ  Ａｃｃｅｓｓ  Ｃｈａｎｎｅｌ、ＰＲＡＣＨと略称する）に対して拡大設計を行ったため、ＭＴＣ  ＵＥが正常に受信できることを確保するように、ＬＴＥ／ＬＴＥ−Ａシステムのランダムアクセス応答メッセージ（Ｒａｎｄｏｍ  Ａｃｃｅｓｓ  Ｒｅｓｐｏｎｓｅ、ＲＡＲと略称する）に対しても拡大設計を行う必要がある。
【発明の概要】
【発明が解決しようとする課題】
【０００７】
本発明は、ランダムアクセスチャネルリソース設定方法及びシステムを提供しており、ＬＴＥ／ＬＴＥ−ＡシステムにおけるＭＴＣ  ＵＥアクセスの問題を解決する。
【課題を解決するための手段】
【０００８】
ランダムアクセスチャネルリソース設定方法であって、
第１のノードが１つ又は複数のランダムアクセスチャネル設定情報によって指示されるランダムアクセスチャネルリソース設定情報を第２のノードへ送信することを含む。
【０００９】
好ましくは、前記ランダムアクセスチャネル設定情報は、少なくとも第１のリソースの設定情報を含み、前記第１のリソースは、
前記第２のノードに割り当てられた、ランダムアクセスシグナリングを送信するためのリソース、
前記第２のノードに割り当てられた、ランダムアクセスシグナリングを送信するための開始リソース、のうちの１つである。
【００１０】
好ましくは、前記第１のリソースは時間領域で１つ又は複数の第１の時間領域の計量単位を占有し、周波数領域で１つ又は複数の第１の周波数領域の計量単位を占有する。
【００１１】
好ましくは、前記第１の時間領域の計量単位は、
フレーム（Ｆｒａｍｅ）、サブフレーム（Ｓｕｂｆｒａｍｅ）、ハーフフレーム、タイムスロット、ＯＦＤＭシンボル、物理リソースブロック（ＰＲＢ）、物理リソースブロックグループのうちの１つである。
【００１２】
好ましくは、前記第１の周波数領域の計量単位は、
サブキャリア、物理リソースブロック（ＰＲＢ）、物理リソースブロックグループのうちの１つである。
【００１３】
好ましくは、前記第１のリソースの設定情報は、
前記第１のリソースの設定インデックス情報、
前記第１のリソースの周波数領域オフセット情報のうちの少なくとも１つを含む。
【００１４】
好ましくは、前記第１のリソースの設定インデックス情報は、
前記第１の時間領域の計量単位で表され、且つシステムにより設定され又は第１のノードにより送信される１つの予め定義された時間領域サイクル内において、前記第１のリソースが前記予め定義された時間領域サイクル内で占有する時間領域位置の分布情報、
前記第１の時間領域の計量単位で表され、且つシステムにより設定され又は前記第１のノードにより送信される１つの予め定義された時間領域サイクル内における、前記第１のリソースの数量情報、
前記ランダムアクセスシグナリングのフォーマット情報、
前記第１のリソースが周波数ホッピングをサポートするかどうかの情報、
前記第１のリソースの周波数ホッピングパターン情報、のうちのいずれか１つ又は任意の複数の情報を指示する。
【００１５】
好ましくは、前記システムによる設定は、標準による設定又はネットワークによる設定又はネットワーク上位層による設定を意味する。
【００１６】
好ましくは、前記第１のリソースの周波数領域での位置情報は、前記第１のリソースの周波数領域オフセット情報によって確定される。
【００１７】
好ましくは、前記第１のリソースの周波数領域での位置情報は、
前記第１のリソースの周波数領域での開始リソース位置の情報、
前記第１のリソースの周波数領域での終了リソース位置の情報、
前記第１のリソースが周波数領域で占有するリソース位置の情報、のうちの少なくとも１つである。
【００１８】
好ましくは、前記開始リソース位置の情報、終了リソース位置の情報、占有するリソース位置の情報は第１の周波数領域の計量単位で計測される。
【００１９】
好ましくは、前記第１のリソースの周波数領域位置分布情報は前記第１のリソースの周波数領域オフセット情報及び前記第１のリソースの設定インデックス情報によって確定される。
【００２０】
好ましくは、前記第１のリソースは周波数領域で複数の位置がある。
【００２１】
好ましくは、同一の前記時間領域位置での複数の前記第１のリソースは、周波数領域での位置が異なる。
【００２２】
好ましくは、前記ランダムアクセスチャネル設定情報は、
前記第１のリソースの周波数領域位置分布間隔情報を更に含む。
【００２３】
好ましくは、前記第１のリソースの周波数領域位置分布情報は、前記第１のリソースの周波数領域オフセット情報、第１のリソースの周波数領域位置分布間隔情報及び前記第１のリソースの設定インデックス情報によって確定される。
【００２４】
好ましくは、ランダムアクセスチャネルリソース設定情報が複数のランダムアクセスチャネル設定情報で指示される場合、それぞれのランダムアクセスチャネル設定情報に含まれる第１のリソースの設定情報は異なる。
【００２５】
好ましくは、前記ランダムアクセスチャネルリソースは１セット又は複数セットのランダムアクセスチャネルリソースサブセットに分けられ、前記ランダムアクセスチャネルリソースサブセットの間は時分割多重化及び／又は周波数分割多重化及び／又は符号分割多重化の方式で前記ランダムアクセスチャネルリソースを多重化する。
【００２６】
好ましくは、前記ランダムアクセスチャネルリソースサブセットの間が時分割多重化の方式で前記ランダムアクセスチャネルリソースを多重化する場合、
前記第１のリソースのうちの、時間領域位置が１つの予め定義された時間領域セット内にある前記第１のリソースを、１つのランダムアクセスチャネルリソースサブセットに割り当て、又は、
前記第１のリソースのうちの、時間領域位置が１つの予め定義された時間領域セット内にあり且つ同一の周波数領域位置を持つ前記第１のリソースを、１つのランダムアクセスチャネルリソースサブセットに割り当て、又は、
前記第１のリソースのうちの、時間領域位置が１つの予め定義された時間領域セット内にあり且つ予め定義された周波数領域位置にある前記第１のリソースを、１つのランダムアクセスチャネルリソースサブセットに割り当てる。
【００２７】
好ましくは、前記予め定義された時間領域セットには１つ又は複数の時間領域時間点が含まれ、且つ前記時間領域時間点は前記第１の時間領域の計量単位で計測され、前記１つ又は複数の時間領域時間点は時間領域で連続的に又は離散的に分布する。
【００２８】
好ましくは、前記予め定義された周波数領域位置は、
隣接する２つの前記時間領域時間点での前記第１のリソースの周波数領域位置が異なるという条件、及び／又は、
前記予め定義された周波数領域位置にＮ種の異なる周波数領域位置を有し、且つ前記予め定義された時間領域セットをＮ個のサブセットに分け、それぞれのサブセットにおける前記第１のリソースの周波数領域位置が前記予め定義された周波数領域位置のうちの１種に対応し、Ｎが１以上の整数であるという条件を満たす必要がある。
【００２９】
好ましくは、前記ランダムアクセスチャネルリソースサブセットの間が周波数分割多重化の方式で前記ランダムアクセスチャネルリソースを多重化する場合、
前記第１のリソースのうちの、周波数領域位置が１つの予め定義された周波数領域セット内にある前記第１のリソースを、１つのランダムアクセスチャネルリソースサブセットに割り当て、又は、
前記第１のリソースのうちの、周波数領域位置が１つの予め定義された周波数領域セット内にあり且つ予め定義された時間領域位置にある前記第１のリソースを、１つのランダムアクセスチャネルリソースサブセットに割り当てる。
【００３０】
好ましくは、前記予め定義された周波数領域セットには１つ又は複数の周波数領域点が含まれ、且つ前記周波数領域点は前記第１の周波数領域の計量単位で計測され、前記１つ又は複数の周波数領域点は周波数領域で連続的に又は離散的に分布する。
【００３１】
好ましくは、前記予め定義された時間領域位置には１つ又は複数の時間領域時間点が含まれ、且つ前記時間領域時間点は前記第１の時間領域の計量単位で計測され、前記１つ又は複数の時間領域時間点は時間領域で連続的に又は離散的に分布する。
【００３２】
好ましくは、前記ランダムアクセスチャネルリソースサブセットの間が時分割多重化及び周波数分割多重化の方式で前記ランダムアクセスチャネルリソースを多重化する場合、１つの予め定義されたセット内の前記第１のリソースを１つのランダムアクセスチャネルリソースサブセットに割り当てる。
【００３３】
好ましくは、前記予め定義されたセットにおける要素は１つ又は複数のソーティングされた後の前記第１のリソースである。
【００３４】
好ましくは、前記第１のリソースのソーティング規則はシステムによって設定される。
【００３５】
好ましくは、前記ランダムアクセスチャネルリソースサブセットの間が符号分割多重化の方式で前記ランダムアクセスチャネルリソースを多重化する場合、
１つのランダムアクセスチャネルリソースサブセットは少なくとも１つの予め定義されたランダムアクセスシーケンスセットからなる。
【００３６】
好ましくは、前記予め定義されたランダムアクセスシーケンスセットには１つ又は複数のランダムアクセスシーケンスが含まれる。
【００３７】
好ましくは、前記ランダムアクセスチャネルリソースサブセットは、１種のタイプ又は複数種のタイプの前記第２のノードがランダムアクセスシーケンスを送信することをサポートする。
【００３８】
好ましくは、前記第２のノードは、
第２のノードがサポートする必要があるカバレッジ拡大レベル、
第２のノードがサポートする必要があるランダムアクセスシーケンスの送信の繰り返し回数、
第２のノードが物理ブロードキャストチャネル（ＰＢＣＨ）を復号することに成功した場合の、使用するＰＢＣＨチャネルの繰り返し回数、
第２のノードがマスタ情報ブロック（ＭＩＢ）メッセージを復号することに成功した場合の、ＭＩＢメッセージの繰り返し回数、
第２のノードがシステム情報ブロック（ＳＩＢ）メッセージを復号することに成功した場合の、ＳＩＢメッセージの繰り返し回数、
第２のノードがＰＢＣＨを復号することに成功した場合の、ＭＩＢメッセージの繰り返し回数、のうちの１つの原則に応じてタイプを分ける。
【００３９】
好ましくは、前記第２のノードは１つ又は複数の端末であり、又は１つ又は複数の端末グループである。
【００４０】
好ましくは、前記第１のノードは、
マクロセル（Ｍａｃｒｏｃｅｌｌ）、マイクロセル（Ｍｉｃｒｏｃｅｌｌ）、ピコセル（Ｐｉｃｏｃｅｌｌ）、フェムトセル（Ｆｅｍｔｏｃｅｌｌ）、低電力ノード（ＬＰＮ）、リレー（Ｒｅｌａｙ）、スモールセル（Ｓｍａｌｌ  Ｃｅｌｌ）のうちの少なくとも１つである。
【００４１】
好ましくは、前記第１のノードが第２のノードへランダムアクセスチャネルリソース設定情報を送信するステップの後、
前記第２のノードが前記ランダムアクセスチャネル設定情報に基づいて、対応するランダムアクセスチャネルリソースを確定し、前記ランダムアクセスチャネルリソースを用いて前記第１のノードにランダムアクセスシグナリングを送信することを更に含む。
【００４２】
好ましくは、前記第２のノードが前記ランダムアクセスチャネル設定情報に基づいて、対応するランダムアクセスチャネルリソースを確定し、前記ランダムアクセスチャネルリソースを用いて前記第１のノードにランダムアクセスシグナリングを送信するステップの後、
前記第２のノードが送信した前記ランダムアクセスシグナリングに応答するように、前記第１のノードが前記第２のノードへランダムアクセス応答シグナリングを送信することを更に含む。
【００４３】
好ましくは、前記ランダムアクセス応答シグナリングには、１つ又は複数の前記第２のノードのランダムアクセス応答情報が含まれる。
【００４４】
好ましくは、システム又は前記第１のノードにより前記１つ又は複数の第２のノードを設定する。
【００４５】
好ましくは、前記１つ又は複数の第２のノードは、
前記１つ又は複数の前記第２のノードが同一の前記タイプに属すること、
前記１つ又は複数の前記第２のノードがサポートする必要があるカバレッジ拡大レベルは同じであること、
前記１つ又は複数の前記第２のノードがサポートする必要があるランダムアクセスシーケンスの送信の繰り返し回数は同じであること、
前記１つ又は複数の前記第２のノードが計算して得たＲＡ−ＲＮＴＩは同じであること、のいずれか１つ又は任意の複数種のプロパティを有する。
【００４６】
好ましくは、前記１つ又は複数の前記第２のノードのタイプはシステムによって設定され、
前記１つ又は複数の前記第２のノードがサポートする必要があるカバレッジ拡大レベルはシステムによって設定され、
前記１つ又は複数の前記第２のノードがサポートする必要があるランダムアクセスシーケンスの送信の繰り返し回数はシステムによって設定される。
【００４７】
好ましくは、前記ランダムアクセス応答シグナリングの繰り返し送信の回数情報は前記第１のノードによって指示される。
【００４８】
好ましくは、前記第１のノードは、
ダウンリンク制御情報において前記ランダムアクセス応答シグナリングの繰り返し送信の回数情報を指示すること、
前記第１のノードの送信したＰＢＣＨがサポートする最大繰り返し回数情報と、前記ランダムアクセス応答シグナリングの繰り返し送信の回数情報とは１つのマッピング関係が存在すること、
前記第１のノードの送信したＭＩＢ情報がサポートする最大繰り返し回数情報と、前記ランダムアクセス応答シグナリングの繰り返し送信の回数情報とは１つのマッピング関係が存在すること、
前記第１のノードの送信したＳＩＢ情報がサポートする最大繰り返し回数情報と、前記ランダムアクセス応答シグナリングの繰り返し送信の回数情報とは１つのマッピング関係が存在すること、  
ＰＢＣＨがサポートする繰り返し回数情報と、前記ランダムアクセス応答シグナリングの繰り返し送信の回数情報とは１つのマッピング関係が存在すること、
ＭＩＢがサポートする繰り返し回数情報と、前記ランダムアクセス応答シグナリングの繰り返し送信の回数情報とは１つのマッピング関係が存在すること、
ＳＩＢがサポートする繰り返し回数情報と、前記ランダムアクセス応答シグナリングの繰り返し送信の回数情報とは１つのマッピング関係が存在すること、のうちの少なくとも１つの方式で前記ランダムアクセス応答シグナリングの繰り返し送信の回数情報を指示する。
【００４９】
好ましくは、前記ランダムアクセス応答シグナリングの繰り返し送信の回数情報は前記第２のノードのタイプ又はカバレッジ拡大レベル又はサポートするランダムアクセスシーケンスの送信の繰り返し回数で指示される。
【００５０】
本発明は、ランダムアクセスチャネルリソース設定システムを更に提供しており、第１のノード及び第２のノードを備え、
前記第１のノードは、前記第２のノードに１つ又は複数のランダムアクセスチャネル設定情報指示を含むランダムアクセスチャネルリソース設定情報を送信するように設定される。
【００５１】
好ましくは、前記第２のノードは１つ又は複数の端末であり、又は１つ又は複数の端末グループである。
【００５２】
好ましくは、前記第１のノードは、
Ｍａｃｒｏｃｅｌｌ、Ｍｉｃｒｏｃｅｌｌ、Ｐｉｃｏｃｅｌｌ、フェムトセル、ＬＰＮ、Ｒｅｌａｙ、Ｓｍａｌｌ  Ｃｅｌｌのうちの少なくとも１つである。
【００５３】
好ましくは、前記第２のノードは、前記ランダムアクセスチャネル設定情報に基づいて、対応するランダムアクセスチャネルリソースを確定し、前記ランダムアクセスチャネルリソースを用いて前記第１のノードにランダムアクセスシグナリングを送信するように設定され、
前記第１のノードは更に、前記第２のノードの送信した前記ランダムアクセスシグナリングに応答するように、前記第２のノードにランダムアクセス応答シグナリングを送信するように設定される。
【発明の効果】
【００５４】
本発明の実施例はランダムアクセスチャネルリソース設定方法及びシステムを提供しており、第１のノードが第２のノードへランダムアクセスチャネルリソース設定情報を送信し、ランダムアクセスチャネルリソース設定情報は１つ又は複数のランダムアクセスチャネル設定情報指示を含み、第２のノードのランダムアクセスシグナリング送信のランダムアクセスチャネルリソースを指示し、ＬＴＥ／ＬＴＥ−ＡシステムにおけるＭＴＣ  ＵＥに対するランダムアクセスチャネルリソース設定を実現し、ＬＴＥ／ＬＴＥ−ＡシステムにおけるＭＴＣ  ＵＥアクセスの問題を解決する。
【図面の簡単な説明】
【００５５】
【図１】図１は、本発明の実施例１に係るランダムアクセスチャネルリソース設定方法におけるランダムアクセスチャネルリソース設定情報の模式図である。
【図２】図２は、本発明の実施例１におけるＰＲＡＣＨ開始リソースソーティングの原理模式図である。
【図３】図３は、本発明の実施例２における各サブセットが占有するＰＲＡＣＨリソースの模式図である。
【図４】図４は、本発明の実施例３における異なるタイプの第２のノードが占有するＰＲＡＣＨ開始リソースの模式図である。
【図５】図５は、本発明の実施例５に係るランダムアクセスチャネルリソース設定方法におけるランダムアクセスチャネルリソース設定情報の模式図である。
【図６】図６は、本発明の実施例６に係るランダムアクセスチャネルリソース設定方法におけるランダムアクセスチャネルリソース設定情報の模式図である。
【図７】図７は、本発明の実施例７に係るランダムアクセスチャネルリソース設定方法におけるランダムアクセスチャネルリソース設定情報の模式図である。
【図８】図８は、本発明の実施例８における１つのＦｒａｍｅ内のＰＲＡＣＨの開始リソース分布模式図である。
【図９】図９は、本発明の実施例１０に係るランダムアクセスチャネルリソース設定方法におけるランダムアクセスチャネルリソース設定情報の模式図である。
【図１０】図１０は、本発明の実施例１１における複数のＦｒａｍｅに割り当てられたＰＲＡＣＨ開始リソースの割り当ての模式図である。
【図１１】図１１は、本発明の実施例１２に係るランダムアクセスチャネルリソース設定方法におけるランダムアクセスチャネルリソース設定情報の模式図である。
【図１２】図１２は、本発明の実施例１２におけるＦｒａｍｅ  ０内のＰＲＡＣＨリソース設定の模式図である。
【図１３】図１３は、本発明の実施例１３における各Ｆｒａｍｅ内のＰＲＡＣＨリソース設定の模式図である。
【図１４】図１４は、本発明の実施例１３におけるＦｒａｍｅ  ０内のＰＲＡＣＨリソース設定の模式図である。
【発明を実施するための形態】
【００５６】
以下、図面を参照しながら本発明の実施例を詳細に説明する。なお、矛盾が生じない場合、本願における実施例及び実施例における特徴は互いに任意に組み合せることができる。
【００５７】
本発明の実施例は、ランダムアクセスチャネルリソース設定方法を提供しており、第１のノードが１つ又は複数のランダムアクセスチャネル設定情報によって指示されるランダムアクセスチャネルリソース設定情報を第２のノードへ送信する。
【００５８】
前記ランダムアクセスチャネル設定情報には、少なくとも第１のリソースの設定情報が含まれ、前記第１のリソースは、
前記第２のノードに割り当てられた、ランダムアクセスシグナリングを送信するためのリソース、
前記第２のノードに割り当てられた、ランダムアクセスシグナリングを送信するための開始リソース、のうちの１つである。
【００５９】
本発明の実施例では、前記第１のリソースがＰＲＡＣＨのリソース又はＰＲＡＣＨの開始リソースであることを例として説明する。
【００６０】
本発明の実施例１
本発明の実施例はランダムアクセスチャネルリソース設定方法を提供しており、以下の（１）〜（５）を含む。
【００６１】
（１）ランダムアクセスチャネルリソース設定情報は１つのランダムアクセスチャネル設定情報で指示され、前記ランダムアクセスチャネル設定情報には少なくともｐｒａｃｈ−ＣｏｎｆｉｇＩｎｄｅｘが含まれる。
【００６２】
そのうち、ｐｒａｃｈ−ＣｏｎｆｉｇＩｎｄｅｘは、ＰＲＡＣＨの開始リソース（時間領域長さが１つのｓｕｂｆｒａｍｅである）の１つの予め定義された時間領域長さ内での割り当てられた時間領域位置情報及び前記予め定義された時間領域長さ内でのＰＲＡＣＨの開始リソースの数を記述するためのものである。ｐｒａｃｈ−ＣｏｎｆｉｇＩｎｄｅｘの異なる値と、ＰＲＡＣＨの開始リソースの前記予め定義された時間領域長さ内での位置情報及びＰＲＡＣＨの開始リソースの前記予め定義された時間領域長さ内での数は、１つのマッピング関係が存在し、システムによって設定される。本発明の実施例では、前記予め定義された時間領域長さが１つのＦｒａｍｅであると仮設し、図１に示すように、第２のノードは第１のノードが送信したｐｒａｃｈ−ＣｏｎｆｉｇＩｎｄｅｘ情報を復号することにより、ＰＲＡＣＨ開始リソースが１つのＦｒａｍｅ内での時間領域においてｓｕｂｆｒａｍｅ  ０、２、４、６、８を占有しすること、且つ合計で５つのＰＲＡＣＨ開始リソースがあることを記述したことを知り、
更に、前記第２のノードは１つ又は複数の端末であってもよく、又は１つ又は複数の端末グループであってもよく、
そのうち、ｐｒａｃｈ−ＦｒｅｑＯｆｆｓｅｔは、ｐｒａｃｈ−ＣｏｎｆｉｇＩｎｄｅｘで記述されるＰＲＡＣＨ開始リソースの周波数領域での周波数領域オフセット情報を指示するためのものである。本発明の実施例では、ｐｒａｃｈ−ＦｒｅｑＯｆｆｓｅｔ＝７であり、システムによりデフォルト設定され、即ち、図１に示すように、ＰＲＡＣＨ開始リソースが１つのＦｒａｍｅ内での周波数領域において占有する１番目のＰＲＢインデックスがＰＲＢ  Ｉｎｄｅｘ７であることを記述する。
【００６３】
本発明の実施例では、複数のＦｒａｍｅに割り当てられたＰＲＡＣＨ開始リソースをソーティングし、図２に示すように、Ｆｒａｍｅ  ｋにおいて、ＰＲＡＣＨ開始リソースインデックスがＲＡ（０）〜ＲＡ（４）であり、Ｆｒａｍｅ  ｋ＋１において、ＰＲＡＣＨ開始リソースインデックスがＲＡ（５）〜ＲＡ（９）であり、これによって類推し、且つ１つのＰＲＡＣＨ開始リソースセットＰＲＡＣＨＳｅｔを構成する。
【００６４】
そのうち、前記ランダムアクセスチャネル設定情報は、
システム情報ブロック（Ｓｙｓｔｅｍ  Ｉｎｆｏｒｍａｔｉｏｎ  Ｂｌｏｃｋ、ＳＩＢ）、
マスタ情報ブロック（Ｍａｓｔｅｒ  Ｉｎｆｏｒｍａｔｉｏｎ  Ｂｌｏｃｋ、ＭＩＢ）、
ダウンリンク制御情報（Ｄｏｗｎｌｉｎｋ  Ｃｏｎｔｒｏｌ  Ｉｎｆｏｒｍａｔｉｏｎ、ＤＣＩ）、のうちの少なくとも１つに設定されてもよい。
【００６５】
そのうち、前記ランダムアクセスチャネル設定情報は、
物理ブロードキャストチャネル（Ｐｈｙｓｉｃａｌ  Ｂｒｏａｄｃａｓｔ  Ｃｈａｎｎｅｌ、ＰＢＣＨ）、
物理ダウンリンク制御チャネル（Ｐｈｙｓｉｃａｌ  Ｄｏｗｎｌｉｎｋ  ｃｏｎｔｒｏｌ  Ｃｈａｎｎｅｌ、ＰＤＣＣＨ）、
物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）、のうちの少なくとも１つにおいて送信されてもよい。
【００６６】
（２）前記ＰＲＡＣＨＳｅｔを１セット又は複数セットのランダムアクセスチャネルリソースサブセットに分け、それぞれのサブセットは、１類又は複数類の第２のノードがランダムアクセスシーケンスを送信することをサポートすることができ、
そのうち、前記第２のノードは、
第２のノードがサポートする必要があるカバレッジ拡大レベルの相違に基づいて分類を行うこと、
第２のノードがサポートする必要があるランダムアクセスシーケンスの送信の繰り返し回数の相違に基づいて割り当てを行うこと、
第２のノードがＰＢＣＨ（Ｐｈｙｓｉｃａｌ  Ｂｒｏａｄｃａｓｔ  Ｃｈａｎｎｅｌ、物理ブロードキャストチャネル）を復号することに成功した場合の、使用するＰＢＣＨチャネルの繰り返し回数、のうちの１つの原則に応じて分類されてもよい。
【００６７】
本発明の実施例において、前記第２のノードはサポートする必要があるカバレッジ拡大レベルの相違に基づいて、２類（Ｔｙｐｅ＿１とＴｙｐｅ＿２）に分けられ、且つ前記ＰＲＡＣＨＳｅｔが２セットのサブセット（サブセット１とサブセット２）に分けられ、各セットのサブセットが占有するＰＲＡＣＨ開始リソースインデックスがシステムにより設定され又は第１のノードにより送信される。各セットのサブセットは、１類の前記第２のノードがランダムアクセスシーケンスを送信すること、例えばＴｙｐｅ＿１の第２のノードがサブセット１でランダムアクセスシーケンスを送信すること、Ｔｙｐｅ＿２の第２のノードがサブセット２でランダムアクセスシーケンスを送信することをサポートする。
【００６８】
2016527831.tif 000006
【００６９】
2016527831.tif 000007
【００７０】
2016527831.tif 000008
2016527831.tif 000009
【００７１】
2016527831.tif 000010
【００７２】
2016527831.tif 000011
【００７３】
（４）前記第２のノードは、割り当てられたランダムアクセスリソースにおいてランダムアクセスシグナリングを送信する。
【００７４】
（５）前記第１のノードは前記第２のノードが送信した前記ランダムアクセスシグナリングを受信した後、前記第２のノードが送信した前記ランダムアクセスシグナリングに応答するように、前記第１のノードは前記第２のノードへランダムアクセス応答シグナリングを送信する。
【００７５】
そのうち、前記ランダムアクセス応答シグナリングには１つ又は複数の前記第２のノードのランダムアクセス応答情報が含まれ、同一のランダムアクセス応答シグナリングにランダムアクセス応答情報が含まれることができる第２のノードのタイプはシステムにより設定され又は前記第１のノードにより前記第２のノードに送信される。
【００７６】
本発明の実施例では、前記ランダムアクセス応答シグナリングに２つの前記第２のノード、例えば、ＵＥ１（Ｕｓｅｒ  Ｅｑｕｉｐｍｅｎｔ  １）及びＵＥ２（Ｕｓｅｒ  Ｅｑｕｉｐｍｅｎｔ  ２）が含まれ、且つＵＥ１とＵＥ２が同一のタイプに属し、即ち、ＵＥ１、ＵＥ２のカバレッジ拡大レベルが同じ、又はＵＥ１、ＵＥ２がサポートする必要があるランダムアクセスシーケンスの送信の繰り返し回数が同じ、又はＵＥ１、ＵＥ２が計算して得たＲＡ−ＲＮＴＩが同じであると仮設する。
【００７７】
本発明の実施例の以外、ＵＥ１とＵＥ２が更に異なるタイプに属してもよいが、システムが、同一の前記ランダムアクセス応答シグナリングにおいてランダムアクセス応答情報を送信できる第２のノードのタイプを予め定義し、且つＵＥ１とＵＥ２が前記タイプに属する必要がある。
【００７８】
本発明の実施例２
本発明の実施例はランダムアクセスチャネルリソース設定方法を提供しており、該方法でＭＴＣ  ＵＥアクセスを完了するプロセスは、以下の（１）〜（５）を含む。
【００７９】
（１）ランダムアクセスチャネルリソース設定情報は１つのランダムアクセスチャネル設定情報で指示され、前記ランダムアクセスチャネル設定情報には少なくともｐｒａｃｈ−ＣｏｎｆｉｇＩｎｄｅｘ及びｐｒａｃｈ−ＦｒｅｑＯｆｆｓｅｔが含まれる。
【００８０】
そのうち、ｐｒａｃｈ−ＣｏｎｆｉｇＩｎｄｅｘは、ＰＲＡＣＨの開始リソース（時間領域長さが１つのｓｕｂｆｒａｍｅである）の１つの予め定義された時間領域長さ内での割り当てられた時間領域位置情報及び前記予め定義された時間領域長さ内でのＰＲＡＣＨの開始リソースの数を記述するためのものである。ｐｒａｃｈ−ＣｏｎｆｉｇＩｎｄｅｘの異なる値と、ＰＲＡＣＨの開始リソースの前記予め定義された時間領域長さ内での位置情報及びＰＲＡＣＨの開始リソースの前記予め定義された時間領域長さ内での数は、１つのマッピング関係が存在し、表１に示すように、そのうち、「ＰｒｅａｍｂｌｅＦｏｒｍａｔ」がランダムアクセスシーケンスフォーマットを表し、「Ｓｙｓｔｅｍ  ｆｒａｍｅ  ｎｕｍｂｅｒ」がシステムフレーム番号を表し（Ｅｖｅｎが偶数フレーム、Ａｎｙがすべてのフレームを表す）、「Ｓｕｂｆｒａｍｅ  ｎｕｍｂｅｒ」がサブフレーム番号を表す。
【００８１】
2016527831.tif 000012
2016527831.tif 000013
【００８２】
本発明の実施例では、ｐｒａｃｈ−ＣｏｎｆｉｇＩｎｄｅｘ＝１２であると、ＰｒｅａｍｂｌｅＦｏｒｍａｔ＝「０」であり、ランダムアクセスシーケンスフォーマットがＰｒｅａｍｂｌｅＦｏｒｍａｔ  ０であることを表し、Ｓｙｓｔｅｍ  ｆｒａｍｅ  ｎｕｍｂｅｒ＝「Ａｎｙ」であると、ＰＲＡＣＨの開始リソースが任意のフレーム内に存在することを表す、Ｓｕｂｆｒａｍｅ  ｎｕｍｂｅｒ＝「０、２、４、６、８」であると、ＰＲＡＣＨの開始リソースがｓｕｂｆｒａｍｅ  ０、ｓｕｂｆｒａｍｅ  ２、ｓｕｂｆｒａｍｅ  ４、ｓｕｂｆｒａｍｅ  ６及びｓｕｂｆｒａｍｅ  ８に存在することを表し、それぞれのｓｕｂｆｒａｍｅに多くとも１つのＰＲＡＣＨの開始リソースのみがあるとデフォルトするため、図１に示すように、本発明の実施例では、１つのＦｒａｍｅに５つのＰＲＡＣＨ開始リソースがある。
【００８３】
更に、前記第２のノードは１つ又は複数の端末であってもよく、又は１つ又は複数の端末グループであってもよい。
【００８４】
そのうち、ｐｒａｃｈ−ＦｒｅｑＯｆｆｓｅｔは、ｐｒａｃｈ−ＣｏｎｆｉｇＩｎｄｅｘで記述されるＰＲＡＣＨ開始リソースの周波数領域での周波数領域オフセット情報を指示するためのものである。本発明の実施例では、ｐｒａｃｈ−ＦｒｅｑＯｆｆｓｅｔ＝７であり、即ち、図１に示すように、ＰＲＡＣＨ開始リソースが１つのＦｒａｍｅ内での周波数領域において占有する１番目のＰＲＢインデックスがＰＲＢ  Ｉｎｄｅｘ７であることを記述する。
【００８５】
本発明の実施例では、複数のＦｒａｍｅに割り当てられたＰＲＡＣＨ開始リソースをソーティングし、図２に示すように、Ｆｒａｍｅ  ｋにおいて、ＰＲＡＣＨ開始リソースインデックスがＲＡ（０）〜  ＲＡ（４）であり、Ｆｒａｍｅ  ｋ＋１において、ＰＲＡＣＨ開始リソースインデックスがＲＡ（５）〜  ＲＡ（９）であり、これによって類推し、且つ１つのＰＲＡＣＨ開始リソースセットＰＲＡＣＨＳｅｔを構成する。
【００８６】
そのうち、前記ランダムアクセスチャネル設定情報は、
システム情報ブロック（Ｓｙｓｔｅｍ  Ｉｎｆｏｒｍａｔｉｏｎ  Ｂｌｏｃｋ、ＳＩＢ）、
マスタ情報ブロック（Ｍａｓｔｅｒ  Ｉｎｆｏｒｍａｔｉｏｎ  Ｂｌｏｃｋ、ＭＩＢ）、
ダウンリンク制御情報（Ｄｏｗｎｌｉｎｋ  Ｃｏｎｔｒｏｌ  Ｉｎｆｏｒｍａｔｉｏｎ、ＤＣＩ）、のうちの少なくとも１つに設定されてもよい。
【００８７】
そのうち、前記ランダムアクセスチャネル設定情報は、
物理ブロードキャストチャネル（Ｐｈｙｓｉｃａｌ  Ｂｒｏａｄｃａｓｔ  Ｃｈａｎｎｅｌ、ＰＢＣＨ）、
物理ダウンリンク制御チャネル（Ｐｈｙｓｉｃａｌ  Ｄｏｗｎｌｉｎｋ  ｃｏｎｔｒｏｌ  Ｃｈａｎｎｅｌ、ＰＤＣＣＨ）、
物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）、のうちの少なくとも１つにおいて送信されてもよい。
【００８８】
（２）前記ＰＲＡＣＨＳｅｔを１セット又は複数セットのランダムアクセスチャネルリソースサブセットに分け、それぞれのサブセットは、１類又は複数類の第２のノードがランダムアクセスシーケンスを送信することをサポートすることができる。
【００８９】
そのうち、前記第２のノードは、
第２のノードがサポートする必要があるカバレッジ拡大レベルの相違に基づいて分類を行うこと、
第２のノードがサポートする必要があるランダムアクセスシーケンスの送信の繰り返し回数の相違に基づいて割り当てを行うこと、
第２のノードがＰＢＣＨ（Ｐｈｙｓｉｃａｌ  Ｂｒｏａｄｃａｓｔ  Ｃｈａｎｎｅｌ、物理ブロードキャストチャネル）を復号することに成功した場合の、使用するＰＢＣＨチャネルの繰り返し回数、のうちの１つの原則に応じて分類されてもよい。
【００９０】
本発明の実施例において、前記第２のノードはサポートする必要があるランダムアクセスシーケンスの送信の繰り返し回数の相違に基づいて、２類（Ｔｙｐｅ＿１とＴｙｐｅ＿２）に分けられ、且つ前記ＰＲＡＣＨＳｅｔが２セットのサブセット（サブセット１とサブセット２）に分けられ、各セットのサブセットが占有するＰＲＡＣＨ開始リソースインデックスがシステムにより設定され又は第１のノードにより送信される。各セットのサブセットは、１類の前記第２のノードがランダムアクセスシーケンスを送信すること、例えばＴｙｐｅ＿１の第２のノードがサブセット１でランダムアクセスシーケンスを送信すること、Ｔｙｐｅ＿２の第２のノードがサブセット２でランダムアクセスシーケンスを送信することをサポートする。
【００９１】
本発明の実施例において、Ｔｙｐｅ＿１の第２のノードが送信したランダムアクセスシーケンスは２つのｓｕｂｆｒａｍｅを占有し、Ｔｙｐｅ＿２の第２のノードが送信したランダムアクセスシーケンスは４つのｓｕｂｆｒａｍｅを占有し、
そのうち、前記第１のノードは、
マクロセル（Ｍａｃｒｏｃｅｌｌ）、マイクロセル（Ｍｉｃｒｏｃｅｌｌ）、ピコセル（Ｐｉｃｏｃｅｌｌ）、ホームセルとも呼ばれるフェムトセル（Ｆｅｍｔｏｃｅｌｌ）、低電力ノード（ＬＰＮ）及びリレー（Ｒｅｌａｙ）、スモールセル（Ｓｍａｌｌ  Ｃｅｌｌ）のうちの１つである。
【００９２】
本発明の実施例において、図３に示すように、サブセット１が占有するＰＲＡＣＨ開始リソースインデックスはＲＡ（０）〜ＲＡ（３）、ＲＡ（１０）〜ＲＡ（１３）、ＲＡ（２０）〜ＲＡ（２３）、…であり、サブセット２が占有するＰＲＡＣＨ開始リソースインデックスはＲＡ（４）〜ＲＡ（９）、ＲＡ（１４）〜ＲＡ（１９）、ＲＡ（２４）〜ＲＡ（２９）、…である。
【００９３】
（３）前記第２のノードが前記ランダムアクセスシーケンスを送信する場合、占有する開始リソースのインデックスは、下記の方式で取得されることができ、
本発明の実施例において、Ｔｙｐｅ＿１の第２のノードがサブセット１でランダムアクセスシーケンスを送信する場合に占有するＰＲＡＣＨ開始リソースインデックスはＲＡ（０）〜ＲＡ（３）、ＲＡ（１０）〜ＲＡ（１３）、ＲＡ（２０）〜ＲＡ（２３）、…から選択されてもよく、Ｔｙｐｅ＿２の第２のノードがサブセット２でランダムアクセスシーケンスを送信する場合に占有するＰＲＡＣＨ開始リソースインデックスはＲＡ（４）、ＲＡ（６）、ＲＡ（８）、ＲＡ（１４）、ＲＡ（１６）、ＲＡ（１８）、ＲＡ（２４）、ＲＡ（２６）、ＲＡ（２８）、…から選択されてもよい。
【００９４】
（４）前記第２のノードは、割り当てられたランダムアクセスリソースにおいてランダムアクセスシグナリングを送信する。
【００９５】
（５）前記第１のノードは前記第２のノードが送信した前記ランダムアクセスシグナリングを受信した後、前記第２のノードが送信した前記ランダムアクセスシグナリングに応答するように、前記第１のノードは前記第２のノードへランダムアクセス応答シグナリングを送信する。
【００９６】
そのうち、前記ランダムアクセス応答シグナリングには、１つ又は複数の前記第２のノードのランダムアクセス応答情報が含まれ、同一のランダムアクセス応答シグナリングにランダムアクセス応答情報が含まれることができる第２のノードのタイプはシステムにより設定され又は前記第１のノードにより前記第２のノードに送信される。
【００９７】
本発明の実施例では、前記ランダムアクセス応答シグナリングに２つの前記第２のノード、例えば、ＵＥ１（Ｕｓｅｒ  Ｅｑｕｉｐｍｅｎｔ  １）及びＵＥ２（Ｕｓｅｒ  Ｅｑｕｉｐｍｅｎｔ  ２）が含まれ、且つＵＥ１とＵＥ２が同一のタイプに属し、即ち、ＵＥ１、ＵＥ２のカバレッジ拡大レベルが同じ、又はＵＥ１、ＵＥ２がサポートする必要があるランダムアクセスシーケンスの送信の繰り返し回数が同じ、又はＵＥ１、ＵＥ２が計算して得たＲＡ−ＲＮＴＩが同じであると仮設する。
【００９８】
本発明の実施例の以外、ＵＥ１とＵＥ２が更に異なるタイプに属してもよいが、システムが、同一の前記ランダムアクセス応答シグナリングにおいてランダムアクセス応答情報を送信できる第２のノードのタイプを予め定義し、且つＵＥ１とＵＥ２が前記タイプに属する必要がある。
【００９９】
上記第２のノードのタイプは、ＵＥが所在する環境の相違に従って変化してもよく、設定した後に変化できないものではなく、本発明の実施例におけるタイプの概念は、セットと類似する概念であり、対応する分け原則を満たす場合、第２のノードは対応するタイプに属する。
【０１００】
本発明の実施例３
本発明の実施例はランダムアクセスチャネルリソース設定方法を提供しており、該方法でＭＴＣ  ＵＥアクセスを完了するプロセスは、以下の（１）〜（５）を含む。
【０１０１】
（１）ランダムアクセスチャネルリソース設定情報は１つのランダムアクセスチャネル設定情報で指示され、前記ランダムアクセスチャネル設定情報には少なくともｐｒａｃｈ−ＦｒｅｑＯｆｆｓｅｔが含まれる。
【０１０２】
そのうち、ｐｒａｃｈ−ＣｏｎｆｉｇＩｎｄｅｘは、ＰＲＡＣＨの開始リソース（時間領域長さが１つのｓｕｂｆｒａｍｅである）の１つの予め定義された時間領域長さ内での割り当てられた時間領域位置情報及び前記予め定義された時間領域長さ内でのＰＲＡＣＨの開始リソースの数を記述するためのものである。ｐｒａｃｈ−ＣｏｎｆｉｇＩｎｄｅｘの異なる値と、ＰＲＡＣＨの開始リソースの前記予め定義された時間領域長さ内での位置情報及びＰＲＡＣＨの開始リソースの前記予め定義された時間領域長さ内での数は、１つのマッピング関係が存在し、システムによって設定される。本発明の実施例では、前記予め定義された時間領域長さが１つのＦｒａｍｅであると仮設し、ｐｒａｃｈ−ＣｏｎｆｉｇＩｎｄｅｘ情報がシステムによりデフォルト設定され、図１に示すように、例えば、ＰＲＡＣＨ開始リソースが１つのＦｒａｍｅ内での時間領域においてｓｕｂｆｒａｍｅ  ０、２、４、６、８を占有し、且つ合計で５つのＰＲＡＣＨ開始リソースがあることを記述し、
更に、前記第２のノードは１つ又は複数の端末であってもよく、又は１つ又は複数の端末グループであってもよい。
【０１０３】
そのうち、ｐｒａｃｈ−ＦｒｅｑＯｆｆｓｅｔは、ｐｒａｃｈ−ＣｏｎｆｉｇＩｎｄｅｘで記述されるＰＲＡＣＨ開始リソースの周波数領域での周波数領域オフセット情報を指示するためのものである。本発明の実施例では、ｐｒａｃｈ−ＦｒｅｑＯｆｆｓｅｔ＝７であり、即ち、図１に示すように、ＰＲＡＣＨ開始リソースが１つのＦｒａｍｅ内での周波数領域において占有する１番目のＰＲＢインデックスがＰＲＢ  Ｉｎｄｅｘ７であることを記述する。
【０１０４】
本発明の実施例では、複数のＦｒａｍｅに割り当てられたＰＲＡＣＨ開始リソースをソーティングし、図２に示すように、Ｆｒａｍｅ  ｋにおいて、ＰＲＡＣＨ開始リソースインデックスがＲＡ（０）〜ＲＡ（４）であり、Ｆｒａｍｅ  ｋ＋１において、ＰＲＡＣＨ開始リソースインデックスがＲＡ（５）〜ＲＡ（９）であり、これによって類推する。
【０１０５】
そのうち、前記ランダムアクセスチャネル設定情報は、
システム情報ブロック（Ｓｙｓｔｅｍ  Ｉｎｆｏｒｍａｔｉｏｎ  Ｂｌｏｃｋ、ＳＩＢ）、
マスタ情報ブロック（Ｍａｓｔｅｒ  Ｉｎｆｏｒｍａｔｉｏｎ  Ｂｌｏｃｋ、ＭＩＢ）、
ダウンリンク制御情報（Ｄｏｗｎｌｉｎｋ  Ｃｏｎｔｒｏｌ  Ｉｎｆｏｒｍａｔｉｏｎ、ＤＣＩ）、のうちの少なくとも１つに設定されてもよい。
【０１０６】
そのうち、前記ランダムアクセスチャネル設定情報は、
物理ブロードキャストチャネル（Ｐｈｙｓｉｃａｌ  Ｂｒｏａｄｃａｓｔ  Ｃｈａｎｎｅｌ、ＰＢＣＨ）、
物理ダウンリンク制御チャネル（Ｐｈｙｓｉｃａｌ  Ｄｏｗｎｌｉｎｋ  ｃｏｎｔｒｏｌ  Ｃｈａｎｎｅｌ、ＰＤＣＣＨ）、
物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）、のうちの少なくとも１つにおいて送信されてもよい。
【０１０７】
（２）前記ランダムアクセスチャネルリソースを１セット又は複数セットのランダムアクセスチャネルリソースサブセットに分け、それぞれのサブセットは、１類又は複数類の第２のノードがランダムアクセスシーケンスを送信することをサポートすることができる。
【０１０８】
そのうち、前記第２のノードは、
第２のノードがサポートする必要があるカバレッジ拡大レベルの相違に基づいて分類を行うこと、
第２のノードがサポートする必要があるランダムアクセスシーケンスの送信の繰り返し回数の相違に基づいて割り当てを行うこと、
第２のノードがＰＢＣＨを復号することに成功した場合の、累積使用するＰＢＣＨチャネルの繰り返し回数、のうちの１つの原則に応じて分類されてもよい。
【０１０９】
本発明の実施例では、第２のノードがＰＢＣＨを復号することに成功した場合の、累積使用するＰＢＣＨチャネルの繰り返し回数の相違に基づいて、前記第２のノードを、４類（Ｔｙｐｅ＿１、Ｔｙｐｅ＿２、Ｔｙｐｅ＿３、Ｔｙｐｅ＿４）に分け、且つ前記ランダムアクセスチャネルリソースを２セットのサブセット（サブセット１とサブセット２）に分け、各セットのサブセットが占有するＰＲＡＣＨ開始リソースインデックスはシステムにより設定され又は第１のノードにより送信される。各セットのサブセットは、２類の前記第２のノードがランダムアクセスシーケンスを送信すること、例えばＴｙｐｅ＿１、Ｔｙｐｅ＿２の第２のノードがサブセット１でランダムアクセスシーケンスを送信すること、Ｔｙｐｅ＿３、Ｔｙｐｅ＿４の第２のノードがサブセット２でランダムアクセスシーケンスを送信することをサポートする。
【０１１０】
本発明の実施例において、Ｔｙｐｅ＿１の第２のノードが送信したランダムアクセスシーケンスは２つのｓｕｂｆｒａｍｅを占有し、Ｔｙｐｅ＿２の第２のノードが送信したランダムアクセスシーケンスは６つのｓｕｂｆｒａｍｅを占有し、Ｔｙｐｅ＿３の第２のノードが送信したランダムアクセスシーケンスは４つのｓｕｂｆｒａｍｅを占有し、Ｔｙｐｅ＿４の第２のノードが送信したランダムアクセスシーケンスは８つのｓｕｂｆｒａｍｅを占有する。
【０１１１】
そのうち、前記第１のノードは、
マクロセル（Ｍａｃｒｏｃｅｌｌ）、マイクロセル（Ｍｉｃｒｏｃｅｌｌ）、ピコセル（Ｐｉｃｏｃｅｌｌ）、ホームセルとも呼ばれるフェムトセル（Ｆｅｍｔｏｃｅｌｌ）、低電力ノード（ＬＰＮ）及びリレー（Ｒｅｌａｙ）、スモールセル（Ｓｍａｌｌ  Ｃｅｌｌ）のうちの１つである。
【０１１２】
本発明の実施例において、図３に示すように、サブセット１が占有するＰＲＡＣＨ開始リソースインデックスはＲＡ（０）〜ＲＡ（３）、ＲＡ（１０）〜ＲＡ（１３）、ＲＡ（２０）〜ＲＡ（２３）、…であり、サブセット２が占有するＰＲＡＣＨ開始リソースインデックスはＲＡ（４）〜ＲＡ（９）、ＲＡ（１４）〜ＲＡ（１９）、ＲＡ（２４）〜ＲＡ（２９）、…である。
【０１１３】
（３）前記第２のノードが前記ランダムアクセスシーケンスを送信する場合、占有する開始リソースのインデックスは、下記の方式で取得されることができ、
本発明の実施例において、図４に示すように、Ｔｙｐｅ＿１の第２のノードがサブセット１でランダムアクセスシーケンスを送信する場合に占有するＰＲＡＣＨ開始リソースインデックスはＲＡ（０）、ＲＡ（１０）、ＲＡ（２０）、…から選択され、Ｔｙｐｅ＿２の第２のノードがサブセット１でランダムアクセスシーケンスを送信する場合に占有するＰＲＡＣＨ開始リソースインデックスはＲＡ（１）、ＲＡ（１１）、ＲＡ（２１）、…から選択されてもよく、Ｔｙｐｅ＿３の第２のノードがサブセット２でランダムアクセスシーケンスを送信する場合に占有するＰＲＡＣＨ開始リソースインデックスはＲＡ（４）、ＲＡ（１４）、ＲＡ（２４）、…から選択されてもよく、Ｔｙｐｅ＿４の第２のノードがサブセット２でランダムアクセスシーケンスを送信する場合に占有するＰＲＡＣＨ開始リソースインデックスはＲＡ（６）、ＲＡ（１６）、ＲＡ（２６）、…から選択されてもよい。
【０１１４】
（４）前記第２のノードは、割り当てられたランダムアクセスリソースにおいてランダムアクセスシグナリングを送信する。
【０１１５】
（５）前記第１のノードは前記第２のノードが送信した前記ランダムアクセスシグナリングを受信した後、前記第２のノードが送信した前記ランダムアクセスシグナリングに応答するように、前記第１のノードは前記第２のノードへランダムアクセス応答シグナリングを送信し、
そのうち、前記ランダムアクセス応答シグナリングには、１つ又は複数の前記第２のノードのランダムアクセス応答情報が含まれ、同一のランダムアクセス応答シグナリングにランダムアクセス応答情報が含まれることができる第２のノードのタイプはシステムにより設定され又は前記第１のノードにより前記第２のノードに送信される。
【０１１６】
本発明の実施例では、前記ランダムアクセス応答シグナリングに２つの前記第２のノード、例えば、ＵＥ１（Ｕｓｅｒ  Ｅｑｕｉｐｍｅｎｔ  １）及びＵＥ２（Ｕｓｅｒ  Ｅｑｕｉｐｍｅｎｔ  ２）が含まれ、且つＵＥ１とＵＥ２が同一のタイプに属し、即ち、ＵＥ１、ＵＥ２のカバレッジ拡大レベルが同じ、又はＵＥ１、ＵＥ２がサポートする必要があるランダムアクセスシーケンスの送信の繰り返し回数が同じ、又はＵＥ１、ＵＥ２が計算して得たＲＡ−ＲＮＴＩが同じであると仮設する。
【０１１７】
本発明の実施例の以外、ＵＥ１とＵＥ２が更に異なるタイプに属してもよいが、システムが、同一の前記ランダムアクセス応答シグナリングにおいてランダムアクセス応答情報を送信できる第２のノードのタイプを予め定義し、且つＵＥ１とＵＥ２が前記タイプに属する必要がある。
【０１１８】
本発明の実施例４
本発明の実施例はランダムアクセスチャネルリソース設定方法を提供しており、該方法でＭＴＣ  ＵＥアクセスを完了するプロセスは、以下の（１）〜（５）を含む。
【０１１９】
（１）ランダムアクセスチャネルリソース設定情報は１つのランダムアクセスチャネル設定情報で指示され、前記ランダムアクセスチャネル設定情報には少なくともｐｒａｃｈ−ＣｏｎｆｉｇＩｎｄｅｘ及びｐｒａｃｈ−ＦｒｅｑＯｆｆｓｅｔが含まれる。
【０１２０】
そのうち、ｐｒａｃｈ−ＣｏｎｆｉｇＩｎｄｅｘは、ＰＲＡＣＨの開始リソース（時間領域長さが１つのｓｕｂｆｒａｍｅである）の１つの予め定義された時間領域長さ内での割り当てられた時間領域位置情報及び前記予め定義された時間領域長さ内でのＰＲＡＣＨの開始リソースの数を記述するためのものである。ｐｒａｃｈ−ＣｏｎｆｉｇＩｎｄｅｘの異なる値と、ＰＲＡＣＨの開始リソースの前記予め定義された時間領域長さ内での位置情報及びＰＲＡＣＨの開始リソースの前記予め定義された時間領域長さ内での数は、１つのマッピング関係が存在し、システムによって設定される。本発明の実施例では、前記予め定義された時間領域長さが１つのＦｒａｍｅであると仮設し、第２のノードは第１のノードが送信したｐｒａｃｈ−ＣｏｎｆｉｇＩｎｄｅｘ情報を復号することにより、ＰＲＡＣＨ開始リソースが１つのＦｒａｍｅ内での時間領域においてｓｕｂｆｒａｍｅ  ０、２、４、６、８を占有することを記述し、且つ合計で５つのＰＲＡＣＨ開始リソースがあることを知り、図１に示す。
【０１２１】
更に、前記第２のノードは１つ又は複数の端末であってもよく、又は１つ又は複数の端末グループであってもよい。
【０１２２】
そのうち、ｐｒａｃｈ−ＦｒｅｑＯｆｆｓｅｔは、ｐｒａｃｈ−ＣｏｎｆｉｇＩｎｄｅｘで記述されるＰＲＡＣＨ開始リソースの周波数領域での周波数領域オフセット情報を指示するためのものである。本発明の実施例では、ｐｒａｃｈ−ＦｒｅｑＯｆｆｓｅｔ＝７であり、即ち、図１に示すように、ＰＲＡＣＨ開始リソースが１つのＦｒａｍｅ内での周波数領域において占有する１番目のＰＲＢインデックスがＰＲＢ  Ｉｎｄｅｘ７であることを記述する。
【０１２３】
本発明の実施例では、複数のＦｒａｍｅに割り当てられたＰＲＡＣＨ開始リソースをソーティングし、図２に示すように、Ｆｒａｍｅ  ｋにおいて、ＰＲＡＣＨ開始リソースインデックスはＲＡ（０）〜ＲＡ（４）であり、Ｆｒａｍｅ  ｋ＋１において、ＰＲＡＣＨ開始リソースインデックスはＲＡ（５）〜ＲＡ（９）であり、これによって類推する。
【０１２４】
そのうち、前記ランダムアクセスチャネル設定情報は、
システム情報ブロック（Ｓｙｓｔｅｍ  Ｉｎｆｏｒｍａｔｉｏｎ  Ｂｌｏｃｋ、ＳＩＢ）、
マスタ情報ブロック（Ｍａｓｔｅｒ  Ｉｎｆｏｒｍａｔｉｏｎ  Ｂｌｏｃｋ、ＭＩＢ）、
ダウンリンク制御情報（Ｄｏｗｎｌｉｎｋ  Ｃｏｎｔｒｏｌ  Ｉｎｆｏｒｍａｔｉｏｎ、ＤＣＩ）、のうちの少なくとも１つに設定されてもよい。
【０１２５】
そのうち、前記ランダムアクセスチャネル設定情報は、
物理ブロードキャストチャネル（Ｐｈｙｓｉｃａｌ  Ｂｒｏａｄｃａｓｔ  Ｃｈａｎｎｅｌ、ＰＢＣＨ）、
物理ダウンリンク制御チャネル（Ｐｈｙｓｉｃａｌ  Ｄｏｗｎｌｉｎｋ  ｃｏｎｔｒｏｌ  Ｃｈａｎｎｅｌ、ＰＤＣＣＨ）、
物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）、のうちの少なくとも１つにおいて送信されてもよい。
【０１２６】
（２）前記ランダムアクセスチャネルリソースを１セット又は複数セットのランダムアクセスチャネルリソースサブセットに分け、それぞれのサブセットは、１類又は複数類の第２のノードがランダムアクセスシーケンスを送信することをサポートすることができ、
そのうち、前記第２のノードは、
第２のノードがマスタ情報ブロック（Ｍａｓｔｅｒ  Ｉｎｆｏｒｍａｔｉｏｎ  Ｂｌｏｃｋ、ＭＩＢ）メッセージを復号することに成功した場合の、ＭＩＢメッセージの繰り返し回数の相違に基づいて分類を行うこと、
第２のノードがシステム情報ブロック（Ｓｙｓｔｅｍ  Ｉｎｆｏｒｍａｔｉｏｎ  Ｂｌｏｃｋ、ＳＩＢ）メッセージを復号することに成功した場合の、ＳＩＢメッセージの繰り返し回数の相違に基づいて分類を行うこと、
第２のノードがＰＢＣＨを復号することに成功した場合の、ＭＩＢメッセージの繰り返し回数の相違に基づいて分類を行うこと、のうちの１つの原則に応じて分類されてもよい。
【０１２７】
本発明の実施例において、前記第２のノードは、マスタ情報ブロック（Ｍａｓｔｅｒ  Ｉｎｆｏｒｍａｔｉｏｎ  Ｂｌｏｃｋ、ＭＩＢ）メッセージを復号することに成功した場合の、ＭＩＢメッセージの繰り返し回数の相違に基づいて分類を行い、例えば、４類（Ｔｙｐｅ＿１、Ｔｙｐｅ＿２、Ｔｙｐｅ＿３、Ｔｙｐｅ＿４）に分けられ、且つ前記ランダムアクセスチャネルリソースが２セットのサブセット（サブセット１とサブセット２）に分けられ、各セットのサブセットが占有するＰＲＡＣＨ開始リソースインデックスはシステムにより設定され又は第１のノードにより送信される。各セットのサブセットは、２類の前記第２のノードがランダムアクセスシーケンスを送信すること、例えばＴｙｐｅ＿１、Ｔｙｐｅ＿２の第２のノードがサブセット１でランダムアクセスシーケンスを送信すること、Ｔｙｐｅ＿３、Ｔｙｐｅ＿４の第２のノードがサブセット２でランダムアクセスシーケンスを送信することをサポートする。同一のサブセットに割り当てられた２類の第２のノードが使用するランダムアクセスシーケンスインデックスは異なる。
【０１２８】
そのうち、前記第１のノードは、
マクロセル（Ｍａｃｒｏｃｅｌｌ）、マイクロセル（Ｍｉｃｒｏｃｅｌｌ）、ピコセル（Ｐｉｃｏｃｅｌｌ）、ホームセルとも呼ばれるフェムトセル（Ｆｅｍｔｏｃｅｌｌ）、低電力ノード（ＬＰＮ）及びリレー（Ｒｅｌａｙ）、スモールセル（Ｓｍａｌｌ  Ｃｅｌｌ）のうちの１つである。
【０１２９】
2016527831.tif 000014
【０１３０】
2016527831.tif 000015
【０１３１】
2016527831.tif 000016
2016527831.tif 000017
【０１３２】
2016527831.tif 000018
【０１３３】
2016527831.tif 000019
【０１３４】
（４）前記第２のノードは、割り当てられたランダムアクセスリソースにおいてランダムアクセスシグナリングを送信する。
【０１３５】
（５）前記第１のノードは前記第２のノードが送信した前記ランダムアクセスシグナリングを受信した後、前記第２のノードが送信した前記ランダムアクセスシグナリングに応答するように、前記第１のノードは前記第２のノードへランダムアクセス応答シグナリングを送信する。
【０１３６】
そのうち、前記ランダムアクセス応答シグナリングには、１つ又は複数の前記第２のノードのランダムアクセス応答情報が含まれ、同一のランダムアクセス応答シグナリングにランダムアクセス応答情報が含まれることができる第２のノードのタイプはシステムにより設定され又は前記第１のノードにより前記第２のノードに送信される。
【０１３７】
本発明の実施例では、前記ランダムアクセス応答シグナリングに２つの前記第２のノード、例えば、ＵＥ１（Ｕｓｅｒ  Ｅｑｕｉｐｍｅｎｔ  １）及びＵＥ２（Ｕｓｅｒ  Ｅｑｕｉｐｍｅｎｔ  ２）が含まれ、且つＵＥ１とＵＥ２が同一のタイプに属し、即ち、ＵＥ１、ＵＥ２のカバレッジ拡大レベルが同じ、又はＵＥ１、ＵＥ２がサポートする必要があるランダムアクセスシーケンスの送信の繰り返し回数が同じ、又はＵＥ１、ＵＥ２が計算して得たＲＡ−ＲＮＴＩが同じであると仮設する。
【０１３８】
本発明の実施例の以外、ＵＥ１とＵＥ２が更に異なるタイプに属してもよいが、システムが、同一の前記ランダムアクセス応答シグナリングにおいてランダムアクセス応答情報を送信できる第２のノードのタイプを予め定義し、且つＵＥ１とＵＥ２が前記タイプに属する必要がある。
【０１３９】
本発明の実施例５
本発明の実施例はランダムアクセスチャネルリソース設定方法を提供しており、該方法でＭＴＣ  ＵＥアクセスを完了するプロセスは、以下の（１）〜（５）を含む。
【０１４０】
（１）ランダムアクセスチャネルリソース設定情報は１つのランダムアクセスチャネル設定情報で指示され、前記ランダムアクセスチャネル設定情報には少なくともｐｒａｃｈ−ＣｏｎｆｉｇＩｎｄｅｘ及びｐｒａｃｈ−ＦｒｅｑＯｆｆｓｅｔが含まれる。
【０１４１】
そのうち、ｐｒａｃｈ−ＣｏｎｆｉｇＩｎｄｅｘは、ＰＲＡＣＨの開始リソース（時間領域長さが１つのｓｕｂｆｒａｍｅである）の１つの予め定義された時間領域長さ内での割り当てられた時間領域位置情報及び前記予め定義された時間領域長さ内でのＰＲＡＣＨの開始リソースの数を記述するためのものである。ｐｒａｃｈ−ＣｏｎｆｉｇＩｎｄｅｘの異なる値と、ＰＲＡＣＨの開始リソースの前記予め定義された時間領域長さ内での位置情報及びＰＲＡＣＨの開始リソースの前記予め定義された時間領域長さ内での数は、１つのマッピング関係が存在し、システムによって設定される。本発明の実施例では、前記予め定義された時間領域長さが１つのＦｒａｍｅであると仮設し、第２のノードは第１のノードが送信したｐｒａｃｈ−ＣｏｎｆｉｇＩｎｄｅｘ情報を復号することにより、ＰＲＡＣＨ開始リソースが１つのＦｒａｍｅ内での時間領域においてｓｕｂｆｒａｍｅ  ２、４を占有することを記述し、且つ合計で４つのＰＲＡＣＨ開始リソースがあることを知り、図５に示す。
【０１４２】
そのうち、ｐｒａｃｈ−ＦｒｅｑＯｆｆｓｅｔは、ｐｒａｃｈ−ＣｏｎｆｉｇＩｎｄｅｘで記述されるＰＲＡＣＨ開始リソースが周波数領域で占有する１番目のＰＲＢインデックスを指示するためのものである。
【０１４３】
更に、前記第２のノードは１つ又は複数の端末であってもよく、又は１つ又は複数の端末グループであってもよい。
【０１４４】
2016527831.tif 000020
【０１４５】
そのうち、前記ランダムアクセスチャネル設定情報は、
システム情報ブロック（Ｓｙｓｔｅｍ  Ｉｎｆｏｒｍａｔｉｏｎ  Ｂｌｏｃｋ、ＳＩＢ）、
マスタ情報ブロック（Ｍａｓｔｅｒ  Ｉｎｆｏｒｍａｔｉｏｎ  Ｂｌｏｃｋ、ＭＩＢ）、
ダウンリンク制御情報（Ｄｏｗｎｌｉｎｋ  Ｃｏｎｔｒｏｌ  Ｉｎｆｏｒｍａｔｉｏｎ、ＤＣＩ）、のうちの少なくとも１つに設定されてもよい。
【０１４６】
そのうち、前記ランダムアクセスチャネル設定情報は、
物理ブロードキャストチャネル（Ｐｈｙｓｉｃａｌ  Ｂｒｏａｄｃａｓｔ  Ｃｈａｎｎｅｌ、ＰＢＣＨ）、
物理ダウンリンク制御チャネル（Ｐｈｙｓｉｃａｌ  Ｄｏｗｎｌｉｎｋ  ｃｏｎｔｒｏｌ  Ｃｈａｎｎｅｌ、ＰＤＣＣＨ）、
物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）、のうちの少なくとも１つにおいて送信されてもよい。
【０１４７】
（２）前記ランダムアクセスチャネルリソースを１セット又は複数セットのランダムアクセスチャネルリソースサブセットに分け、それぞれのサブセットは、１類又は複数類の第２のノードがランダムアクセスシーケンスを送信することをサポートすることができ、
そのうち、前記第２のノードは、
第２のノードがマスタ情報ブロック（Ｍａｓｔｅｒ  Ｉｎｆｏｒｍａｔｉｏｎ  Ｂｌｏｃｋ、ＭＩＢ）メッセージを復号することに成功した場合の、ＭＩＢメッセージの繰り返し回数の相違に基づいて分類を行うこと、
第２のノードがシステム情報ブロック（Ｓｙｓｔｅｍ  Ｉｎｆｏｒｍａｔｉｏｎ  Ｂｌｏｃｋ、ＳＩＢ）メッセージを復号することに成功した場合の、ＳＩＢメッセージの繰り返し回数の相違に基づいて分類を行うこと、
第２のノードがＰＢＣＨを復号することに成功した場合の、ＭＩＢメッセージの繰り返し回数の相違に基づいて分類を行うこと、のうちの１つの原則に応じて分類されてもよい。
【０１４８】
本発明の実施例において、前記第２のノードは、システム情報ブロック（Ｓｙｓｔｅｍ  Ｉｎｆｏｒｍａｔｉｏｎ  Ｂｌｏｃｋ、ＳＩＢ）メッセージを復号することに成功した場合の、ＳＩＢメッセージの繰り返し回数の相違に基づいて分類を行う。例えば、２類（Ｔｙｐｅ＿１とＴｙｐｅ＿２）に分けられ、且つ前記ランダムアクセスチャネルリソースが２セットのサブセット（サブセット１とサブセット２）に分けられ、各セットのサブセットが占有するＰＲＡＣＨ開始リソースインデックスはシステムにより設定され又は第１のノードにより送信される。各セットのサブセットは、１類の前記第２のノードがランダムアクセスシーケンスを送信すること、例えばＴｙｐｅ＿１の第２のノードがサブセット１でランダムアクセスシーケンスを送信すること、Ｔｙｐｅ＿２の第２のノードがサブセット２でランダムアクセスシーケンスを送信することをサポートする。
【０１４９】
そのうち、前記第１のノードは、
マクロセル（Ｍａｃｒｏｃｅｌｌ）、マイクロセル（Ｍｉｃｒｏｃｅｌｌ）、ピコセル（Ｐｉｃｏｃｅｌｌ）、ホームセルとも呼ばれるフェムトセル（Ｆｅｍｔｏｃｅｌｌ）、低電力ノード（ＬＰＮ）及びリレー（Ｒｅｌａｙ）、スモールセル（Ｓｍａｌｌ  Ｃｅｌｌ）のうちの１つである。
【０１５０】
本発明の実施例において、サブセット１におけるＰＲＡＣＨの開始リソースのインデックスはそれぞれのＦｒａｍｅにおける ＝０であり、サブセット２におけるＰＲＡＣＨの開始リソースのインデックスはそれぞれのＦｒａｍｅにおける＝１である。
【０１５１】
2016527831.tif 000021
2016527831.tif 000022
【０１５２】
2016527831.tif 000023
【０１５３】
（４）前記第２のノードは、割り当てられたランダムアクセスリソースにおいてランダムアクセスシグナリングを送信する。
【０１５４】
（５）前記第１のノードは前記第２のノードが送信した前記ランダムアクセスシグナリングを受信した後、前記第２のノードが送信した前記ランダムアクセスシグナリングに応答するように、前記第１のノードは前記第２のノードへランダムアクセス応答シグナリングを送信する。
【０１５５】
そのうち、前記ランダムアクセス応答シグナリングには、１つ又は複数の前記第２のノードのランダムアクセス応答情報が含まれ、同一のランダムアクセス応答シグナリングにランダムアクセス応答情報が含まれることができる第２のノードのタイプはシステムにより設定され又は前記第１のノードにより前記第２のノードに送信される。
【０１５６】
本発明の実施例では、前記ランダムアクセス応答シグナリングに２つの前記第２のノード、例えば、ＵＥ１（Ｕｓｅｒ  Ｅｑｕｉｐｍｅｎｔ  １）及びＵＥ２（Ｕｓｅｒ  Ｅｑｕｉｐｍｅｎｔ  ２）が含まれ、且つＵＥ１とＵＥ２が同一のタイプに属し、即ち、ＵＥ１、ＵＥ２のカバレッジ拡大レベルが同じ、又はＵＥ１、ＵＥ２がサポートする必要があるランダムアクセスシーケンスの送信の繰り返し回数が同じ、又はＵＥ１、ＵＥ２が計算して得たＲＡ−ＲＮＴＩが同じであると仮設する。
【０１５７】
本発明の実施例の以外、ＵＥ１とＵＥ２が更に異なるタイプに属してもよいが、システムが、同一の前記ランダムアクセス応答シグナリングにおいてランダムアクセス応答情報を送信できる第２のノードのタイプを予め定義し、且つＵＥ１とＵＥ２が前記タイプに属する必要がある。
【０１５８】
本発明の実施例６
本発明の実施例はランダムアクセスチャネルリソース設定方法を提供しており、該方法でＭＴＣ  ＵＥアクセスを完了するプロセスは、以下の（１）〜（５）を含む。
【０１５９】
（１）ランダムアクセスチャネルリソース設定情報は１つのランダムアクセスチャネル設定情報で指示され、前記ランダムアクセスチャネル設定情報には少なくともｐｒａｃｈ−ＣｏｎｆｉｇＩｎｄｅｘ及びｐｒａｃｈ−ＦｒｅｑＯｆｆｓｅｔが含まれる。
【０１６０】
そのうち、ｐｒａｃｈ−ＣｏｎｆｉｇＩｎｄｅｘは、ＰＲＡＣＨの開始リソース（時間領域長さが１つのｓｕｂｆｒａｍｅである）の１つの予め定義された時間領域長さ内での割り当てられた時間領域位置情報及び前記予め定義された時間領域長さ内でのＰＲＡＣＨの開始リソースの数を記述するためのものである。ｐｒａｃｈ−ＣｏｎｆｉｇＩｎｄｅｘの異なる値と、ＰＲＡＣＨの開始リソースの前記予め定義された時間領域長さ内での位置情報及びＰＲＡＣＨの開始リソースの前記予め定義された時間領域長さ内での数は、１つのマッピング関係が存在し、システムによって設定される。本発明の実施例では、前記予め定義された時間領域長さが１つのＦｒａｍｅであると仮設し、第２のノードは第１のノードが送信したｐｒａｃｈ−ＣｏｎｆｉｇＩｎｄｅｘ情報を復号することにより、図６に示すように、ＰＲＡＣＨ開始リソースが１つのＦｒａｍｅ内での時間領域においてｓｕｂｆｒａｍｅ  ０、２、４、６、８を占有することを記述することを知り、
そのうち、ｐｒａｃｈ−ＦｒｅｑＯｆｆｓｅｔは、ｐｒａｃｈ−ＣｏｎｆｉｇＩｎｄｅｘで記述されるＰＲＡＣＨ開始リソースが周波数領域で占有する１番目のＰＲＢインデックスを指示するためのものであり、
更に、前記第２のノードは１つ又は複数の端末であってもよく、又は１つ又は複数の端末グループであってもよい。
【０１６１】
2016527831.tif 000024
2016527831.tif 000025
【０１６２】
そのうち、前記ランダムアクセスチャネル設定情報は、
システム情報ブロック（Ｓｙｓｔｅｍ  Ｉｎｆｏｒｍａｔｉｏｎ  Ｂｌｏｃｋ、ＳＩＢ）、
マスタ情報ブロック（Ｍａｓｔｅｒ  Ｉｎｆｏｒｍａｔｉｏｎ  Ｂｌｏｃｋ、ＭＩＢ）、
ダウンリンク制御情報（Ｄｏｗｎｌｉｎｋ  Ｃｏｎｔｒｏｌ  Ｉｎｆｏｒｍａｔｉｏｎ、ＤＣＩ）、のうちの少なくとも１つに設定されてもよい。
【０１６３】
そのうち、前記ランダムアクセスチャネル設定情報は、
物理ブロードキャストチャネル（Ｐｈｙｓｉｃａｌ  Ｂｒｏａｄｃａｓｔ  Ｃｈａｎｎｅｌ、ＰＢＣＨ）、
物理ダウンリンク制御チャネル（Ｐｈｙｓｉｃａｌ  Ｄｏｗｎｌｉｎｋ  ｃｏｎｔｒｏｌ  Ｃｈａｎｎｅｌ、ＰＤＣＣＨ）、
物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）、のうちの少なくとも１つにおいて送信されてもよい。
【０１６４】
（２）前記ランダムアクセスチャネルリソースを１セット又は複数セットのランダムアクセスチャネルリソースサブセットに分け、それぞれのサブセットは、１類又は複数類の第２のノードがランダムアクセスシーケンスを送信することをサポートすることができ、
そのうち、前記第２のノードは、
第２のノードがマスタ情報ブロック（Ｍａｓｔｅｒ  Ｉｎｆｏｒｍａｔｉｏｎ  Ｂｌｏｃｋ、ＭＩＢ）メッセージを復号することに成功した場合の、ＭＩＢメッセージの繰り返し回数の相違に基づいて分類を行うこと、
第２のノードがシステム情報ブロック（Ｓｙｓｔｅｍ  Ｉｎｆｏｒｍａｔｉｏｎ  Ｂｌｏｃｋ、ＳＩＢ）メッセージを復号することに成功した場合の、ＳＩＢメッセージの繰り返し回数の相違に基づいて分類を行うこと、
第２のノードがＰＢＣＨを復号することに成功した場合の、ＭＩＢメッセージの繰り返し回数の相違に基づいて分類を行うこと、のうちの１つの原則に応じて分類されてもよい。
【０１６５】
本発明の実施例において、前記第２のノードは、ＰＢＣＨを復号することに成功した場合の、ＭＩＢメッセージの繰り返し回数の相違に基づいて分類を行う。例えば、２類（Ｔｙｐｅ＿１とＴｙｐｅ＿２）に分けられ、且つ前記ランダムアクセスチャネルリソースが２セットのサブセット（サブセット１とサブセット２）に分けられ、各セットのサブセットが占有するインデックスはシステムにより設定され又は第１のノードにより送信される。各セットのサブセットは、１類の前記第２のノードがランダムアクセスシーケンスを送信すること、例えばＴｙｐｅ＿１の第２のノードがサブセット１でランダムアクセスシーケンスを送信すること、Ｔｙｐｅ＿２の第２のノードがサブセット２でランダムアクセスシーケンスを送信することをサポートする。
【０１６６】
そのうち、前記第１のノードは、
マクロセル（Ｍａｃｒｏｃｅｌｌ）、マイクロセル（Ｍｉｃｒｏｃｅｌｌ）、ピコセル（Ｐｉｃｏｃｅｌｌ）、ホームセルとも呼ばれるフェムトセル（Ｆｅｍｔｏｃｅｌｌ）、低電力ノード（ＬＰＮ）及びリレー（Ｒｅｌａｙ）、スモールセル（Ｓｍａｌｌ  Ｃｅｌｌ）のうちの１つである。
【０１６７】
2016527831.tif 000026
【０１６８】
2016527831.tif 000027
【０１６９】
2016527831.tif 000028
【０１７０】
（４）前記第２のノードは、割り当てられたランダムアクセスリソースにおいてランダムアクセスシグナリングを送信する。
【０１７１】
（５）前記第１のノードは前記第２のノードが送信した前記ランダムアクセスシグナリングを受信した後、前記第２のノードが送信した前記ランダムアクセスシグナリングに応答するように、前記第１のノードは前記第２のノードへランダムアクセス応答シグナリングを送信する。
【０１７２】
そのうち、前記ランダムアクセス応答シグナリングには、１つ又は複数の前記第２のノードのランダムアクセス応答情報が含まれ、同一のランダムアクセス応答シグナリングにランダムアクセス応答情報が含まれることができる第２のノードのタイプはシステムにより設定され又は前記第１のノードにより前記第２のノードに送信される。
【０１７３】
本発明の実施例では、前記ランダムアクセス応答シグナリングに２つの前記第２のノード、例えば、ＵＥ１（Ｕｓｅｒ  Ｅｑｕｉｐｍｅｎｔ  １）及びＵＥ２（Ｕｓｅｒ  Ｅｑｕｉｐｍｅｎｔ  ２）が含まれ、且つＵＥ１とＵＥ２が同一のタイプに属し、即ち、ＵＥ１、ＵＥ２のカバレッジ拡大レベルが同じ、又はＵＥ１、ＵＥ２がサポートする必要があるランダムアクセスシーケンスの送信の繰り返し回数が同じ、又はＵＥ１、ＵＥ２が計算して得たＲＡ−ＲＮＴＩが同じであると仮設する。
【０１７４】
本発明の実施例の以外、ＵＥ１とＵＥ２が更に異なるタイプに属してもよいが、システムが、同一の前記ランダムアクセス応答シグナリングにおいてランダムアクセス応答情報を送信できる第２のノードのタイプを予め定義し、且つＵＥ１とＵＥ２が前記タイプに属する必要がある。
【０１７５】
本発明の実施例７
本発明の実施例はランダムアクセスチャネルリソース設定方法を提供しており、該方法でＭＴＣ  ＵＥアクセスを完了するプロセスは、以下の（１）〜（５）を含む。
【０１７６】
（１）ランダムアクセスチャネルリソース設定情報は１つのランダムアクセスチャネル設定情報で指示され、前記ランダムアクセスチャネル設定情報には少なくともｐｒａｃｈ−ＣｏｎｆｉｇＩｎｄｅｘ及びｐｒａｃｈ−ＦｒｅｑＯｆｆｓｅｔが含まれる。
【０１７７】
そのうち、ｐｒａｃｈ−ＣｏｎｆｉｇＩｎｄｅｘは、ＰＲＡＣＨの開始リソース（時間領域長さが１つのｓｕｂｆｒａｍｅである）の１つの予め定義された時間領域長さ内での割り当てられた時間領域位置情報及び前記予め定義された時間領域長さ内でのＰＲＡＣＨの開始リソースの数を記述するためのものである。ｐｒａｃｈ−ＣｏｎｆｉｇＩｎｄｅｘの異なる値と、ＰＲＡＣＨの開始リソースの前記予め定義された時間領域長さ内での位置情報及びＰＲＡＣＨの開始リソースの前記予め定義された時間領域長さ内での数は、１つのマッピング関係が存在し、システムによって設定される。本発明の実施例では、前記予め定義された時間領域長さが１つのＦｒａｍｅであると仮設し、第２のノードは第１のノードが送信したｐｒａｃｈ−ＣｏｎｆｉｇＩｎｄｅｘ情報を復号することにより、図７に示すように、ＰＲＡＣＨ開始リソースが１つのＦｒａｍｅ内での時間領域においてｓｕｂｆｒａｍｅ  ２、４を占有することを記述し、且つそれぞれのサブフレームが２つのＰＲＡＣＨ開始リソース開始位置を有することを知る。
【０１７８】
そのうち、ｐｒａｃｈ−ＦｒｅｑＯｆｆｓｅｔは、ｐｒａｃｈ−ＣｏｎｆｉｇＩｎｄｅｘで記述されるＰＲＡＣＨ開始リソースが周波数領域で占有する１番目のＰＲＢインデックスを指示するためのものである。
【０１７９】
更に、前記第２のノードは１つ又は複数の端末であってもよく、又は１つ又は複数の端末グループであってもよい。
【０１８０】
2016527831.tif 000029
【０１８１】
そのうち、前記ランダムアクセスチャネル設定情報は、
システム情報ブロック（Ｓｙｓｔｅｍ  Ｉｎｆｏｒｍａｔｉｏｎ  Ｂｌｏｃｋ、ＳＩＢ）、
マスタ情報ブロック（Ｍａｓｔｅｒ  Ｉｎｆｏｒｍａｔｉｏｎ  Ｂｌｏｃｋ、ＭＩＢ）、
ダウンリンク制御情報（Ｄｏｗｎｌｉｎｋ  Ｃｏｎｔｒｏｌ  Ｉｎｆｏｒｍａｔｉｏｎ、ＤＣＩ）、のうちの少なくとも１つに設定されてもよい。
【０１８２】
そのうち、前記ランダムアクセスチャネル設定情報は、
物理ブロードキャストチャネル（Ｐｈｙｓｉｃａｌ  Ｂｒｏａｄｃａｓｔ  Ｃｈａｎｎｅｌ、ＰＢＣＨ）、
物理ダウンリンク制御チャネル（Ｐｈｙｓｉｃａｌ  Ｄｏｗｎｌｉｎｋ  ｃｏｎｔｒｏｌ  Ｃｈａｎｎｅｌ、ＰＤＣＣＨ）、
物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）、のうちの少なくとも１つにおいて送信されてもよい。
【０１８３】
（２）前記ランダムアクセスチャネルリソースを１セット又は複数セットのランダムアクセスチャネルリソースサブセットに分け、それぞれのサブセットは、１類又は複数類の第２のノードがランダムアクセスシーケンスを送信することをサポートすることができ、
そのうち、前記第２のノードは、
第２のノードがサポートする必要があるカバレッジ拡大レベルの相違に基づいて分類を行うこと、
第２のノードがサポートする必要があるランダムアクセスシーケンスの送信の繰り返し回数の相違に基づいて割り当てを行うこと、
第２のノードがＰＢＣＨ（Ｐｈｙｓｉｃａｌ  Ｂｒｏａｄｃａｓｔ  Ｃｈａｎｎｅｌ、物理ブロードキャストチャネル）を復号することに成功した場合の、使用するＰＢＣＨチャネルの繰り返し回数、のうちの１つの原則に応じて分類されてもよい。
【０１８４】
本発明の実施例において、前記第２のノードはサポートする必要があるカバレッジ拡大レベルの相違に基づいて、２類（Ｔｙｐｅ＿１とＴｙｐｅ＿２）に分けられ、且つ前記ランダムアクセスチャネルリソースが２セットのサブセット（サブセット１とサブセット２）に分けられ、各セットのサブセットは、１類の前記第２のノードがランダムアクセスシーケンスを送信すること、例えばＴｙｐｅ＿１の第２のノードがサブセット１でランダムアクセスシーケンスを送信すること、Ｔｙｐｅ＿２の第２のノードがサブセット２でランダムアクセスシーケンスを送信することをサポートする。
【０１８５】
そのうち、前記第１のノードは、
マクロセル（Ｍａｃｒｏｃｅｌｌ）、マイクロセル（Ｍｉｃｒｏｃｅｌｌ）、ピコセル（Ｐｉｃｏｃｅｌｌ）、ホームセルとも呼ばれるフェムトセル（Ｆｅｍｔｏｃｅｌｌ）、低電力ノード（ＬＰＮ）及びリレー（Ｒｅｌａｙ）、スモールセル（Ｓｍａｌｌ  Ｃｅｌｌ）のうちの１つである。
【０１８６】
2016527831.tif 000030
【０１８７】
2016527831.tif 000031
2016527831.tif 000032
【０１８８】
2016527831.tif 000033
【０１８９】
（４）前記第２のノードは、割り当てられたランダムアクセスリソースにおいてランダムアクセスシグナリングを送信する。
【０１９０】
（５）前記第１のノードは前記第２のノードが送信した前記ランダムアクセスシグナリングを受信した後、前記第２のノードが送信した前記ランダムアクセスシグナリングに応答するように、前記第１のノードは前記第２のノードへランダムアクセス応答シグナリングを送信する。
【０１９１】
そのうち、前記ランダムアクセス応答シグナリングには、１つ又は複数の前記第２のノードのランダムアクセス応答情報が含まれ、同一のランダムアクセス応答シグナリングにランダムアクセス応答情報が含まれることができる第２のノードのタイプはシステムにより設定され又は前記第１のノードにより前記第２のノードに送信される。
【０１９２】
本発明の実施例では、前記ランダムアクセス応答シグナリングに２つの前記第２のノード、例えば、ＵＥ１（Ｕｓｅｒ  Ｅｑｕｉｐｍｅｎｔ  １）及びＵＥ２（Ｕｓｅｒ  Ｅｑｕｉｐｍｅｎｔ  ２）が含まれ、且つＵＥ１とＵＥ２が同一のタイプに属し、即ち、ＵＥ１、ＵＥ２のカバレッジ拡大レベルが同じ、又はＵＥ１、ＵＥ２がサポートする必要があるランダムアクセスシーケンスの送信の繰り返し回数が同じ、又はＵＥ１、ＵＥ２が計算して得たＲＡ−ＲＮＴＩが同じであると仮設する。
【０１９３】
本発明の実施例の以外、ＵＥ１とＵＥ２が更に異なるタイプに属してもよいが、システムが、同一の前記ランダムアクセス応答シグナリングにおいてランダムアクセス応答情報を送信できる第２のノードのタイプを予め定義し、且つＵＥ１とＵＥ２が前記タイプに属する必要がある。
【０１９４】
2016527831.tif 000034
2016527831.tif 000035
【０１９５】
本発明の実施例８
本発明の実施例はランダムアクセスチャネルリソース設定方法を提供しており、該方法でＭＴＣ  ＵＥアクセスを完了するプロセスは、以下の（１）〜（５）を含む。
【０１９６】
（１）ランダムアクセスチャネルリソース設定情報は複数セットのランダムアクセスチャネル設定情報で指示され、前記ランダムアクセスチャネル設定情報には少なくともｐｒａｃｈ−ＣｏｎｆｉｇＩｎｄｅｘ及びｐｒａｃｈ−ＦｒｅｑＯｆｆｓｅｔが含まれる。
【０１９７】
本発明の実施例では、ランダムアクセスチャネルリソース設定情報が２セットのランダムアクセスチャネル設定情報で指示されると仮設する。
【０１９８】
そのうち、ｐｒａｃｈ−ＣｏｎｆｉｇＩｎｄｅｘは、ＰＲＡＣＨの開始リソース（時間領域長さが１つのｓｕｂｆｒａｍｅである）の１つの予め定義された時間領域長さ内での割り当てられた時間領域位置情報及び前記予め定義された時間領域長さ内でのＰＲＡＣＨの開始リソースの数を記述するためのものである。ｐｒａｃｈ−ＣｏｎｆｉｇＩｎｄｅｘの異なる値と、ＰＲＡＣＨの開始リソースの前記予め定義された時間領域長さ内での位置情報及びＰＲＡＣＨの開始リソースの前記予め定義された時間領域長さ内での数は、１つのマッピング関係が存在し、システムによって設定される。
【０１９９】
そのうち、ｐｒａｃｈ−ＦｒｅｑＯｆｆｓｅｔは、ｐｒａｃｈ−ＣｏｎｆｉｇＩｎｄｅｘで記述されるＰＲＡＣＨ開始リソースの周波数領域での周波数領域オフセット情報を指示するためのものである。
【０２００】
本発明の実施例では、前記予め定義された時間領域長さが１つのＦｒａｍｅであると仮設し、
第１セットのＰＲＡＣＨ設定情報指示におけるｐｒａｃｈ−ＣｏｎｆｉｇＩｎｄｅｘ１情報は、ＰＲＡＣＨ開始リソースが１つのＦｒａｍｅ内での時間領域においてｓｕｂｆｒａｍｅ  ２及びｓｕｂｆｒａｍｅ  ４を占有することを指示し、ｐｒａｃｈ−ＦｒｅｑＯｆｆｓｅｔ１は、ＰＲＡＣＨ開始リソースが１つのＦｒａｍｅ内での周波数領域において占有する１番目のＰＲＢインデックスがＰＲＢ  Ｉｎｄｅｘ７であることを記述し、
第２セットのＰＲＡＣＨ設定情報指示におけるｐｒａｃｈ−ＣｏｎｆｉｇＩｎｄｅｘ２情報は、ＰＲＡＣＨ開始リソースが１つのＦｒａｍｅ内での時間領域においてｓｕｂｆｒａｍｅ  ２及びｓｕｂｆｒａｍｅ  ４を占有することを指示し、ｐｒａｃｈ−ＦｒｅｑＯｆｆｓｅｔ２は、ＰＲＡＣＨ開始リソースが１つのＦｒａｍｅ内での周波数領域において占有する１番目のＰＲＢインデックスがＰＲＢ  Ｉｎｄｅｘ３７であることを記述し、
１つのＦｒａｍｅ内でのＰＲＡＣＨの開始リソースの分布模式図は図８に示され、ＰＲＡＣＨの開始リソースＲＡ（０）及びＲＡ（１）はｐｒａｃｈ−ＣｏｎｆｉｇＩｎｄｅｘ１及びｐｒａｃｈ−ＦｒｅｑＯｆｆｓｅｔ１により指示され、ＰＲＡＣＨの開始リソースＲＡ（２）及びＲＡ（３）はｐｒａｃｈ−ＣｏｎｆｉｇＩｎｄｅｘ２及びｐｒａｃｈ−ＦｒｅｑＯｆｆｓｅｔ２により指示される。
【０２０１】
そのうち、前記ランダムアクセスチャネル設定情報は、
システム情報ブロック（Ｓｙｓｔｅｍ  Ｉｎｆｏｒｍａｔｉｏｎ  Ｂｌｏｃｋ、ＳＩＢ）、
マスタ情報ブロック（Ｍａｓｔｅｒ  Ｉｎｆｏｒｍａｔｉｏｎ  Ｂｌｏｃｋ、ＭＩＢ）、
ダウンリンク制御情報（Ｄｏｗｎｌｉｎｋ  Ｃｏｎｔｒｏｌ  Ｉｎｆｏｒｍａｔｉｏｎ、ＤＣＩ）、のうちの少なくとも１つに設定されてもよい。
【０２０２】
そのうち、前記ランダムアクセスチャネル設定情報は、
物理ブロードキャストチャネル（Ｐｈｙｓｉｃａｌ  Ｂｒｏａｄｃａｓｔ  Ｃｈａｎｎｅｌ、ＰＢＣＨ）、
物理ダウンリンク制御チャネル（Ｐｈｙｓｉｃａｌ  Ｄｏｗｎｌｉｎｋ  ｃｏｎｔｒｏｌ  Ｃｈａｎｎｅｌ、ＰＤＣＣＨ）、
物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）、のうちの少なくとも１つにおいて送信されてもよい。
【０２０３】
（２）前記ランダムアクセスチャネルリソースを１セット又は複数セットのランダムアクセスチャネルリソースサブセットに分け、それぞれのサブセットは、１類又は複数類の第２のノードがランダムアクセスシーケンスを送信することをサポートすることができ、
そのうち、前記第２のノードは、
第２のノードがサポートする必要があるカバレッジ拡大レベルの相違に基づいて分類を行うこと、
第２のノードがサポートする必要があるランダムアクセスシーケンスの送信の繰り返し回数の相違に基づいて割り当てを行うこと、
第２のノードがＰＢＣＨ（Ｐｈｙｓｉｃａｌ  Ｂｒｏａｄｃａｓｔ  Ｃｈａｎｎｅｌ、物理ブロードキャストチャネル）を復号することに成功した場合の、使用するＰＢＣＨチャネルの繰り返し回数、のうちの１つの原則に応じて分類されてもよい。
【０２０４】
本発明の実施例において、前記第２のノードはサポートする必要があるカバレッジ拡大レベルの相違に基づいて、２類（Ｔｙｐｅ＿１とＴｙｐｅ＿２）に分けられ、且つ前記ランダムアクセスチャネルリソースが２セットのサブセット（サブセット１とサブセット２）に分けられ、各セットのサブセットは、１類の前記第２のノードがランダムアクセスシーケンスを送信すること、例えばＴｙｐｅ＿１の第２のノードがサブセット１でランダムアクセスシーケンスを送信すること、Ｔｙｐｅ＿２の第２のノードがサブセット２でランダムアクセスシーケンスを送信することをサポートする。
【０２０５】
そのうち、前記第１のノードは、
マクロセル（Ｍａｃｒｏｃｅｌｌ）、マイクロセル（Ｍｉｃｒｏｃｅｌｌ）、ピコセル（Ｐｉｃｏｃｅｌｌ）、ホームセルとも呼ばれるフェムトセル（Ｆｅｍｔｏｃｅｌｌ）、低電力ノード（ＬＰＮ）及びリレー（Ｒｅｌａｙ）、スモールセル（Ｓｍａｌｌ  Ｃｅｌｌ）のうちの１つである。
【０２０６】
本発明の実施例において、サブセット１におけるＰＲＡＣＨの開始リソースのインデックスはそれぞれのＦｒａｍｅにおけるＲＡ（０）及びＲＡ（１）であり、サブセット２におけるＰＲＡＣＨの開始リソースのインデックスはそれぞれのＦｒａｍｅにおけるＲＡ（２）及びＲＡ（３）である。
【０２０７】
本発明の実施例の以外、サブセット１におけるＰＲＡＣＨの開始リソースは更にｐｒａｃｈ−ＣｏｎｆｉｇＩｎｄｅｘ１及びｐｒａｃｈ−ＦｒｅｑＯｆｆｓｅｔ１で指示されてもよく、サブセット２におけるＰＲＡＣＨの開始リソースは更にｐｒａｃｈ−ＣｏｎｆｉｇＩｎｄｅｘ２及びｐｒａｃｈ−ＦｒｅｑＯｆｆｓｅｔ２で指示されてもよい。
【０２０８】
2016527831.tif 000036
【０２０９】
（４）前記第２のノードは、割り当てられたランダムアクセスリソースにおいてランダムアクセスシグナリングを送信する。
【０２１０】
（５）前記第１のノードは前記第２のノードが送信した前記ランダムアクセスシグナリングを受信した後、前記第２のノードが送信した前記ランダムアクセスシグナリングに応答するように、前記第１のノードは前記第２のノードへランダムアクセス応答シグナリングを送信する。
【０２１１】
そのうち、前記ランダムアクセス応答シグナリングには、１つ又は複数の前記第２のノードのランダムアクセス応答情報が含まれ、同一のランダムアクセス応答シグナリングにランダムアクセス応答情報が含まれることができる第２のノードのタイプはシステムにより設定され又は前記第１のノードにより前記第２のノードに送信される。
【０２１２】
本発明の実施例では、前記ランダムアクセス応答シグナリングに２つの前記第２のノード、例えば、ＵＥ１（Ｕｓｅｒ  Ｅｑｕｉｐｍｅｎｔ  １）及びＵＥ２（Ｕｓｅｒ  Ｅｑｕｉｐｍｅｎｔ  ２）が含まれ、且つＵＥ１とＵＥ２が同一のタイプに属し、即ち、ＵＥ１、ＵＥ２のカバレッジ拡大レベルが同じ、又はＵＥ１、ＵＥ２がサポートする必要があるランダムアクセスシーケンスの送信の繰り返し回数が同じ、又はＵＥ１、ＵＥ２が計算して得たＲＡ−ＲＮＴＩが同じであると仮設する。
【０２１３】
本発明の実施例の以外、ＵＥ１とＵＥ２が更に異なるタイプに属してもよいが、システムが、同一の前記ランダムアクセス応答シグナリングにおいてランダムアクセス応答情報を送信できる第２のノードのタイプを予め定義し、且つＵＥ１とＵＥ２が前記タイプに属する必要がある。
【０２１４】
本発明の実施例９
本発明の実施例はランダムアクセスチャネルリソース設定方法を提供しており、該方法でＭＴＣ  ＵＥアクセスを完了するプロセスは、以下の（１）〜（５）を含む。
【０２１５】
（１）ランダムアクセスチャネルリソース設定情報は複数セットのランダムアクセスチャネル設定情報で指示され、前記ランダムアクセスチャネル設定情報には少なくともｐｒａｃｈ−ＣｏｎｆｉｇＩｎｄｅｘ及びｐｒａｃｈ−ＦｒｅｑＯｆｆｓｅｔが含まれる。
【０２１６】
本発明の実施例では、ランダムアクセスチャネルリソース設定情報が２セットのランダムアクセスチャネル設定情報で指示されると仮設する。
【０２１７】
そのうち、ｐｒａｃｈ−ＣｏｎｆｉｇＩｎｄｅｘは、ＰＲＡＣＨの開始リソース（時間領域長さが１つのｓｕｂｆｒａｍｅである）の１つの予め定義された時間領域長さ内での割り当てられた時間領域位置情報及び前記予め定義された時間領域長さ内でのＰＲＡＣＨの開始リソースの数を記述するためのものである。ｐｒａｃｈ−ＣｏｎｆｉｇＩｎｄｅｘの異なる値と、ＰＲＡＣＨの開始リソースの前記予め定義された時間領域長さ内での位置情報及びＰＲＡＣＨの開始リソースの前記予め定義された時間領域長さ内での数は、１つのマッピング関係が存在し、システムによって設定される。
【０２１８】
本発明の実施例では、前記予め定義された時間領域長さが１つのＦｒａｍｅであると仮設する。
【０２１９】
第１セットのＰＲＡＣＨ設定情報指示におけるｐｒａｃｈ−ＣｏｎｆｉｇＩｎｄｅｘ１情報は、ＰＲＡＣＨ開始リソースが１つのＦｒａｍｅ内での時間領域においてｓｕｂｆｒａｍｅ  ２及びｓｕｂｆｒａｍｅ  ４を占有することを指示し、ｐｒａｃｈ−ＦｒｅｑＯｆｆｓｅｔ１は、ＰＲＡＣＨ開始リソースが１つのＦｒａｍｅ内での周波数領域において占有する１番目のＰＲＢインデックスがＰＲＢ  Ｉｎｄｅｘ７であることを記述し、
第２セットのＰＲＡＣＨ設定情報指示におけるｐｒａｃｈ−ＣｏｎｆｉｇＩｎｄｅｘ２情報は、ＰＲＡＣＨ開始リソースが１つのＦｒａｍｅ内での時間領域においてｓｕｂｆｒａｍｅ  ２及びｓｕｂｆｒａｍｅ  ４を占有することを指示し、ｐｒａｃｈ−ＦｒｅｑＯｆｆｓｅｔ２は、ＰＲＡＣＨ開始リソースが１つのＦｒａｍｅ内での周波数領域において占有する１番目のＰＲＢインデックスがＰＲＢ  Ｉｎｄｅｘ３７であることを記述し、
１つのＦｒａｍｅ内でのＰＲＡＣＨの開始リソースの分布模式図は図８に示され、ＰＲＡＣＨの開始リソースＲＡ（０）及びＲＡ（１）はｐｒａｃｈ−ＣｏｎｆｉｇＩｎｄｅｘ１及びｐｒａｃｈ−ＦｒｅｑＯｆｆｓｅｔ１で指示され、ＰＲＡＣＨの開始リソースＲＡ（２）及びＲＡ（３）はｐｒａｃｈ−ＣｏｎｆｉｇＩｎｄｅｘ２及びｐｒａｃｈ−ＦｒｅｑＯｆｆｓｅｔ２で指示される。
【０２２０】
そのうち、前記ランダムアクセスチャネル設定情報は、
システム情報ブロック（Ｓｙｓｔｅｍ  Ｉｎｆｏｒｍａｔｉｏｎ  Ｂｌｏｃｋ、ＳＩＢ）、
マスタ情報ブロック（Ｍａｓｔｅｒ  Ｉｎｆｏｒｍａｔｉｏｎ  Ｂｌｏｃｋ、ＭＩＢ）、
ダウンリンク制御情報（Ｄｏｗｎｌｉｎｋ  Ｃｏｎｔｒｏｌ  Ｉｎｆｏｒｍａｔｉｏｎ、ＤＣＩ）、のうちの少なくとも１つに設定されてもよい。
【０２２１】
（２）前記ランダムアクセスチャネルリソースを１セット又は複数セットのランダムアクセスチャネルリソースサブセットに分け、それぞれのサブセットは、１類又は複数類の第２のノードがランダムアクセスシーケンスを送信することをサポートすることができ、
そのうち、前記第２のノードは、
第２のノードがサポートする必要があるカバレッジ拡大レベルの相違に基づいて分類を行うこと、
第２のノードがサポートする必要があるランダムアクセスシーケンスの送信の繰り返し回数の相違に基づいて割り当てを行うこと、
第２のノードがＰＢＣＨ（Ｐｈｙｓｉｃａｌ  Ｂｒｏａｄｃａｓｔ  Ｃｈａｎｎｅｌ、物理ブロードキャストチャネル）を復号することに成功した場合の、使用するＰＢＣＨチャネルの繰り返し回数、のうちの１つの原則に応じて分類されてもよい。
【０２２２】
本発明の実施例において、前記第２のノードはサポートする必要があるカバレッジ拡大レベルの相違に基づいて、２類（Ｔｙｐｅ＿１とＴｙｐｅ＿２）に分けられ、且つ前記ランダムアクセスチャネルリソースが２セットのサブセット（サブセット１とサブセット２）に分けられ、各セットのサブセットが占有するＰＲＡＣＨの開始リソースインデックスはシステムにより設定され又は第１のノードにより送信される。各セットのサブセットは、１類の前記第２のノードがランダムアクセスシーケンスを送信すること、例えばＴｙｐｅ＿１の第２のノードがサブセット１でランダムアクセスシーケンスを送信すること、Ｔｙｐｅ＿２の第２のノードがサブセット２でランダムアクセスシーケンスを送信することをサポートする。
【０２２３】
そのうち、前記第１のノードは、
マクロセル（Ｍａｃｒｏｃｅｌｌ）、マイクロセル（Ｍｉｃｒｏｃｅｌｌ）、ピコセル（Ｐｉｃｏｃｅｌｌ）、ホームセルとも呼ばれるフェムトセル（Ｆｅｍｔｏｃｅｌｌ）、低電力ノード（ＬＰＮ）及びリレー（Ｒｅｌａｙ）、スモールセル（Ｓｍａｌｌ  Ｃｅｌｌ）のうちの１つである。
【０２２４】
本発明の実施例において、サブセット１におけるＰＲＡＣＨの開始リソースのインデックスはそれぞれのＦｒａｍｅにおけるＲＡ（０）及びＲＡ（３）であり、サブセット２におけるＰＲＡＣＨの開始リソースのインデックスはそれぞれのＦｒａｍｅにおけるＲＡ（２）及びＲＡ（１）である。
【０２２５】
2016527831.tif 000037
【０２２６】
（４）前記第２のノードは、割り当てられたランダムアクセスリソースにおいてランダムアクセスシグナリングを送信する。
【０２２７】
（５）前記第１のノードは前記第２のノードが送信した前記ランダムアクセスシグナリングを受信した後、前記第２のノードが送信した前記ランダムアクセスシグナリングに応答するように、前記第１のノードは前記第２のノードへランダムアクセス応答シグナリングを送信する。
【０２２８】
そのうち、前記ランダムアクセス応答シグナリングには、１つ又は複数の前記第２のノードのランダムアクセス応答情報が含まれ、同一のランダムアクセス応答シグナリングにランダムアクセス応答情報が含まれることができる第２のノードのタイプはシステムにより設定され又は前記第１のノードにより前記第２のノードに送信される。
【０２２９】
本発明の実施例では、前記ランダムアクセス応答シグナリングに２つの前記第２のノード、例えば、ＵＥ１（Ｕｓｅｒ  Ｅｑｕｉｐｍｅｎｔ  １）及びＵＥ２（Ｕｓｅｒ  Ｅｑｕｉｐｍｅｎｔ  ２）が含まれ、且つＵＥ１とＵＥ２が同一のタイプに属し、即ち、ＵＥ１、ＵＥ２のカバレッジ拡大レベルが同じ、又はＵＥ１、ＵＥ２がサポートする必要があるランダムアクセスシーケンスの送信の繰り返し回数が同じ、又はＵＥ１、ＵＥ２が計算して得たＲＡ−ＲＮＴＩが同じであると仮設する。
【０２３０】
本発明の実施例の以外、ＵＥ１とＵＥ２が更に異なるタイプに属してもよいが、システムが、同一の前記ランダムアクセス応答シグナリングにおいてランダムアクセス応答情報を送信できる第２のノードのタイプを予め定義し、且つＵＥ１とＵＥ２が前記タイプに属する必要がある。
【０２３１】
本発明の実施例１０
本発明の実施例はランダムアクセスチャネルリソース設定方法を提供しており、該方法でＭＴＣ  ＵＥアクセスを完了するプロセスは、以下の（１）〜（５）を含む。
【０２３２】
（１）ＴＤＤ−ＬＴＥシステムでは合計で７種のアップリンク・ダウンリンクサブフレーム設定タイプを有し、本発明の実施例においてＴＤＤ−ＬＴＥシステムが選択したアップリンク・ダウンリンクサブフレームの設定タイプは４であり、即ちシステムのフレーム構造は図９に示すように、ｓｕｂｆｒａｍｅ０、ｓｕｂｆｒａｍｅ４〜ｓｕｂｆｒａｍｅ９がダウンリンクサブフレームで、ｓｕｂｆｒａｍｅ１が特殊サブフレームで、ｓｕｂｆｒａｍｅ２、ｓｕｂｆｒａｍｅ３がアップリンクサブフレームである。
【０２３３】
ランダムアクセスチャネルリソース設定情報は１つのランダムアクセスチャネル設定情報で指示され、前記ランダムアクセスチャネル設定情報には少なくともｐｒａｃｈ−ＣｏｎｆｉｇＩｎｄｅｘ及びｐｒａｃｈ−ＦｒｅｑＯｆｆｓｅｔが含まれる。
【０２３４】
そのうち、ｐｒａｃｈ−ＣｏｎｆｉｇＩｎｄｅｘは、ＰＲＡＣＨの開始リソース（時間領域長さが１つのｓｕｂｆｒａｍｅである）の１つの予め定義された時間領域長さ内での割り当てられた時間領域位置情報及び前記予め定義された時間領域長さ内でのＰＲＡＣＨの開始リソースの数を記述するためのものである。ｐｒａｃｈ−ＣｏｎｆｉｇＩｎｄｅｘの異なる値と、ＰＲＡＣＨの開始リソースの前記予め定義された時間領域長さ内での位置情報及びＰＲＡＣＨの開始リソースの前記予め定義された時間領域長さ内での数は、１つのマッピング関係が存在し、システムによって設定される。本発明の実施例において、ｓｕｂｆｒａｍｅ２、ｓｕｂｆｒａｍｅ３はアップリンクサブフレームであり、前記予め定義された時間領域長さが１つのＦｒａｍｅであると仮設し、第２のノードは第１のノードが送信したｐｒａｃｈ−ＣｏｎｆｉｇＩｎｄｅｘ情報を復号することにより、図９に示すように、ＰＲＡＣＨ開始リソースが１つのＦｒａｍｅ内での時間領域においてｓｕｂｆｒａｍｅ  ２、３を占有することを記述し、且つ合計で４つのＰＲＡＣＨ開始リソースがあることを知る。
【０２３５】
そのうち、ｐｒａｃｈ−ＦｒｅｑＯｆｆｓｅｔは、ｐｒａｃｈ−ＣｏｎｆｉｇＩｎｄｅｘで記述されるＰＲＡＣＨ開始リソースが周波数領域で占有する１番目のＰＲＢインデックスを指示するためのものである。
【０２３６】
更に、前記第２のノードは１つ又は複数の端末であってもよく、又は１つ又は複数の端末グループであってもよい。
【０２３７】
2016527831.tif 000038
2016527831.tif 000039
【０２３８】
ｓｕｂｆｒａｍｅ２、ｓｕｂｆｒａｍｅ３内でのＰＲＡＣＨの開始リソース分布模式図は図９に示される。
【０２３９】
そのうち、前記ランダムアクセスチャネル設定情報は、
システム情報ブロック（Ｓｙｓｔｅｍ  Ｉｎｆｏｒｍａｔｉｏｎ  Ｂｌｏｃｋ、ＳＩＢ）、
マスタ情報ブロック（Ｍａｓｔｅｒ  Ｉｎｆｏｒｍａｔｉｏｎ  Ｂｌｏｃｋ、ＭＩＢ）、
ダウンリンク制御情報（Ｄｏｗｎｌｉｎｋ  Ｃｏｎｔｒｏｌ  Ｉｎｆｏｒｍａｔｉｏｎ、ＤＣＩ）、のうちの少なくとも１つに設定されてもよい。
【０２４０】
そのうち、前記ランダムアクセスチャネル設定情報は、
物理ブロードキャストチャネル（Ｐｈｙｓｉｃａｌ  Ｂｒｏａｄｃａｓｔ  Ｃｈａｎｎｅｌ、ＰＢＣＨ）、
物理ダウンリンク制御チャネル（Ｐｈｙｓｉｃａｌ  Ｄｏｗｎｌｉｎｋ  ｃｏｎｔｒｏｌ  Ｃｈａｎｎｅｌ、ＰＤＣＣＨ）、
物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）、のうちの少なくとも１つにおいて送信されてもよい。
【０２４１】
（２）前記ランダムアクセスチャネルリソースを１セット又は複数セットのランダムアクセスチャネルリソースサブセットに分け、それぞれのサブセットは、１類又は複数類の第２のノードがランダムアクセスシーケンスを送信することをサポートすることができ、
そのうち、前記第２のノードは、
第２のノードがサポートする必要があるカバレッジ拡大レベルの相違に基づいて分類を行うこと、
第２のノードがサポートする必要があるランダムアクセスシーケンスの送信の繰り返し回数の相違に基づいて割り当てを行うこと、
第２のノードがＰＢＣＨ（Ｐｈｙｓｉｃａｌ  Ｂｒｏａｄｃａｓｔ  Ｃｈａｎｎｅｌ、物理ブロードキャストチャネル）を復号することに成功した場合の、使用するＰＢＣＨチャネルの繰り返し回数、のうちの１つの原則に応じて分類されてもよい。
【０２４２】
本発明の実施例において、前記第２のノードはサポートする必要があるカバレッジ拡大レベルの相違に基づいて、２類（Ｔｙｐｅ＿１とＴｙｐｅ＿２）に分けられ、且つ前記ランダムアクセスチャネルリソースが２セットのサブセット（サブセット１とサブセット２）に分けられ、各セットのサブセットが占有するＰＲＡＣＨ開始リソースインデックスはシステムにより設定され又は第１のノードにより送信される。各セットのサブセットは、１類の前記第２のノードがランダムアクセスシーケンスを送信すること、例えばＴｙｐｅ＿１の第２のノードがサブセット１でランダムアクセスシーケンスを送信すること、Ｔｙｐｅ＿２の第２のノードがサブセット２でランダムアクセスシーケンスを送信することをサポートする。
【０２４３】
そのうち、前記第１のノードは、
マクロセル（Ｍａｃｒｏｃｅｌｌ）、マイクロセル（Ｍｉｃｒｏｃｅｌｌ）、ピコセル（Ｐｉｃｏｃｅｌｌ）、ホームセルとも呼ばれるフェムトセル（Ｆｅｍｔｏｃｅｌｌ）、低電力ノード（ＬＰＮ）及びリレー（Ｒｅｌａｙ）、スモールセル（Ｓｍａｌｌ  Ｃｅｌｌ）のうちの１つである。
【０２４４】
2016527831.tif 000040
【０２４５】
2016527831.tif 000041
【０２４６】
2016527831.tif 000042
2016527831.tif 000043
【０２４７】
（４）前記第２のノードは、割り当てられたランダムアクセスリソースにおいてランダムアクセスシグナリングを送信する。
【０２４８】
（５）前記第１のノードは前記第２のノードが送信した前記ランダムアクセスシグナリングを受信した後、前記第２のノードが送信した前記ランダムアクセスシグナリングに応答するように、前記第１のノードは前記第２のノードへランダムアクセス応答シグナリングを送信する。
【０２４９】
そのうち、前記ランダムアクセス応答シグナリングには、１つ又は複数の前記第２のノードのランダムアクセス応答情報が含まれ、同一のランダムアクセス応答シグナリングにランダムアクセス応答情報が含まれることができる第２のノードのタイプはシステムにより設定され又は前記第１のノードにより前記第２のノードに送信される。
【０２５０】
本発明の実施例では、前記ランダムアクセス応答シグナリングに２つの前記第２のノード、例えば、ＵＥ１（Ｕｓｅｒ  Ｅｑｕｉｐｍｅｎｔ  １）及びＵＥ２（Ｕｓｅｒ  Ｅｑｕｉｐｍｅｎｔ  ２）が含まれ、且つＵＥ１とＵＥ２が同一のタイプに属し、即ち、ＵＥ１、ＵＥ２のカバレッジ拡大レベルが同じ、又はＵＥ１、ＵＥ２がサポートする必要があるランダムアクセスシーケンスの送信の繰り返し回数が同じ、又はＵＥ１、ＵＥ２が計算して得たＲＡ−ＲＮＴＩが同じであると仮設する。
【０２５１】
本発明の実施例の以外、ＵＥ１とＵＥ２が更に異なるタイプに属してもよいが、システムが、同一の前記ランダムアクセス応答シグナリングにおいてランダムアクセス応答情報を送信できる第２のノードのタイプを予め定義し、且つＵＥ１とＵＥ２が前記タイプに属する必要がある。
【０２５２】
本発明の実施例１１
本発明の実施例はランダムアクセスチャネルリソース設定方法を提供しており、該方法でＭＴＣ  ＵＥアクセスを完了するプロセスは、以下の（１）〜（５）を含む。
【０２５３】
（１）ランダムアクセスチャネルリソース設定情報は１つのランダムアクセスチャネル設定情報で指示され、前記ランダムアクセスチャネル設定情報には少なくともｐｒａｃｈ−ＣｏｎｆｉｇＩｎｄｅｘ及びｐｒａｃｈ−ＦｒｅｑＯｆｆｓｅｔが含まれる。
【０２５４】
そのうち、ｐｒａｃｈ−ＣｏｎｆｉｇＩｎｄｅｘは、ＰＲＡＣＨの開始リソース（時間領域長さが１つのｓｕｂｆｒａｍｅである）の１つの予め定義された時間領域長さ内での割り当てられた時間領域位置情報及び前記予め定義された時間領域長さ内でのＰＲＡＣＨの開始リソースの数を記述するためのものである。ｐｒａｃｈ−ＣｏｎｆｉｇＩｎｄｅｘの異なる値と、ＰＲＡＣＨの開始リソースの前記予め定義された時間領域長さ内での位置情報及びＰＲＡＣＨの開始リソースの前記予め定義された時間領域長さ内での数は、１つのマッピング関係が存在し、システムによって設定される。本発明の実施例では、前記予め定義された時間領域長さが１つのＦｒａｍｅであると仮設し、図１に示すように、第２のノードは第１のノードが送信したｐｒａｃｈ−ＣｏｎｆｉｇＩｎｄｅｘ情報を復号することにより、ＰＲＡＣＨ開始リソースが１つのＦｒａｍｅ内での時間領域においてｓｕｂｆｒａｍｅ  ０、２、４、６、８を占有することを記述し、且つ合計で５つのＰＲＡＣＨ開始リソースがあることを知る。
【０２５５】
更に、前記第２のノードは１つ又は複数の端末であってもよく、又は１つ又は複数の端末グループであってもよい。
【０２５６】
2016527831.tif 000044
【０２５７】
本発明の実施例において、複数のＦｒａｍｅにおいて割り当てられたＰＲＡＣＨ開始リソース割り当ての模式図は図１０に示され、且つ複数のＦｒａｍｅにおいて割り当てられたＰＲＡＣＨ開始リソースを改めてソーティングし、Ｆｒａｍｅ  ｋにおいて、ＰＲＡＣＨ開始リソースインデックスがＲＡ（０）〜ＲＡ（４）であり、Ｆｒａｍｅ  ｋ＋１において、ＰＲＡＣＨ開始リソースインデックスがＲＡ（５）〜ＲＡ（９）であり、これによって類推する。
【０２５８】
そのうち、前記ランダムアクセスチャネル設定情報は、
システム情報ブロック（Ｓｙｓｔｅｍ  Ｉｎｆｏｒｍａｔｉｏｎ  Ｂｌｏｃｋ、ＳＩＢ）、
マスタ情報ブロック（Ｍａｓｔｅｒ  Ｉｎｆｏｒｍａｔｉｏｎ  Ｂｌｏｃｋ、ＭＩＢ）、
ダウンリンク制御情報（Ｄｏｗｎｌｉｎｋ  Ｃｏｎｔｒｏｌ  Ｉｎｆｏｒｍａｔｉｏｎ、ＤＣＩ）、のうちの少なくとも１つに設定されてもよい。
【０２５９】
そのうち、前記ランダムアクセスチャネル設定情報は、
物理ブロードキャストチャネル（Ｐｈｙｓｉｃａｌ  Ｂｒｏａｄｃａｓｔ  Ｃｈａｎｎｅｌ、ＰＢＣＨ）、
物理ダウンリンク制御チャネル（Ｐｈｙｓｉｃａｌ  Ｄｏｗｎｌｉｎｋ  ｃｏｎｔｒｏｌ  Ｃｈａｎｎｅｌ、ＰＤＣＣＨ）、
物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）、のうちの少なくとも１つにおいて送信されてもよい。
【０２６０】
（２）前記ランダムアクセスチャネルリソースを１セット又は複数セットのランダムアクセスチャネルリソースサブセットに分け、それぞれのサブセットは、１類又は複数類の第２のノードがランダムアクセスシーケンスを送信することをサポートすることができ、
そのうち、前記第２のノードは、
第２のノードがサポートする必要があるカバレッジ拡大レベルの相違に基づいて分類を行うこと、
第２のノードがサポートする必要があるランダムアクセスシーケンスの送信の繰り返し回数の相違に基づいて割り当てを行うこと、
第２のノードがＰＢＣＨ（Ｐｈｙｓｉｃａｌ  Ｂｒｏａｄｃａｓｔ  Ｃｈａｎｎｅｌ、物理ブロードキャストチャネル）を復号することに成功した場合の、使用するＰＢＣＨチャネルの繰り返し回数、のうちの１つの原則に応じて分類されてもよい。
【０２６１】
本発明の実施例において、前記第２のノードはサポートする必要があるカバレッジ拡大レベルの相違に基づいて、２類（Ｔｙｐｅ＿１、Ｔｙｐｅ＿２）に分けられ、且つ前記ランダムアクセスチャネルリソースが２セットのサブセット（サブセット１とサブセット２）に分けられ、各セットのサブセットが占有するＰＲＡＣＨ開始リソースインデックスはシステムにより設定され又は第１のノードにより送信される。各セットのサブセットは、１類の前記第２のノードがランダムアクセスシーケンスを送信すること、例えばＴｙｐｅ＿１の第２のノードがサブセット１でランダムアクセスシーケンスを送信すること、Ｔｙｐｅ＿２の第２のノードがサブセット２でランダムアクセスシーケンスを送信することをサポートする。
【０２６２】
本発明の実施例において、Ｔｙｐｅ＿１の第２のノードが送信したランダムアクセスシーケンスは８つのｓｕｂｆｒａｍｅを占有し、Ｔｙｐｅ＿２の第２のノードが送信したランダムアクセスシーケンスは１２個のｓｕｂｆｒａｍｅを占有し、
そのうち、前記第１のノードは、
マクロセル（Ｍａｃｒｏｃｅｌｌ）、マイクロセル（Ｍｉｃｒｏｃｅｌｌ）、ピコセル（Ｐｉｃｏｃｅｌｌ）、ホームセルとも呼ばれるフェムトセル（Ｆｅｍｔｏｃｅｌｌ）、低電力ノード（ＬＰＮ）及びリレー（Ｒｅｌａｙ）、スモールセル（Ｓｍａｌｌ  Ｃｅｌｌ）のうちの１つである。
【０２６３】
本発明の実施例において、図１０に示すように、サブセット１が占有するＰＲＡＣＨ開始リソースインデックスはＲＡ（０）〜ＲＡ（１）、ＲＡ（５）〜ＲＡ（６）、ＲＡ（１０）〜ＲＡ（１１）、ＲＡ（１５）〜ＲＡ（１６）、…であり、サブセット２が占有するＰＲＡＣＨ開始リソースインデックスはＲＡ（２）〜ＲＡ（４）、ＲＡ（７）〜ＲＡ（９）、ＲＡ（１２）〜ＲＡ（１４）、ＲＡ（１７）〜ＲＡ（１９）…である。
【０２６４】
（３）前記第２のノードが前記ランダムアクセスシーケンスを送信する場合、占有する開始リソースのインデックスは、下記の方式で取得されることができ、
本発明の実施例において、Ｔｙｐｅ＿１の第２のノードがサブセット１でランダムアクセスシーケンスを送信する場合に占有するＰＲＡＣＨ開始リソースインデックスは、ＲＡ（０）、ＲＡ（１０）、ＲＡ（２０）、…から選択され、Ｔｙｐｅ＿２の第２のノードがサブセット１でランダムアクセスシーケンスを送信する場合に占有するＰＲＡＣＨ開始リソースインデックスは、ＲＡ（１）、ＲＡ（１１）、ＲＡ（２１）、…から選択されてもよい。
【０２６５】
（４）前記第２のノードは、割り当てられたランダムアクセスリソースにおいてランダムアクセスシグナリングを送信する。
【０２６６】
（５）前記第１のノードは前記第２のノードが送信した前記ランダムアクセスシグナリングを受信した後、前記第２のノードが送信した前記ランダムアクセスシグナリングに応答するように、前記第１のノードは前記第２のノードへランダムアクセス応答シグナリングを送信する。
【０２６７】
そのうち、前記ランダムアクセス応答シグナリングには、１つ又は複数の前記第２のノードのランダムアクセス応答情報が含まれ、同一のランダムアクセス応答シグナリングにランダムアクセス応答情報が含まれることができる第２のノードのタイプはシステムにより設定され又は前記第１のノードにより前記第２のノードに送信される。
【０２６８】
本発明の実施例では、前記ランダムアクセス応答シグナリングに２つの前記第２のノード、例えば、ＵＥ１（Ｕｓｅｒ  Ｅｑｕｉｐｍｅｎｔ  １）及びＵＥ２（Ｕｓｅｒ  Ｅｑｕｉｐｍｅｎｔ  ２）が含まれ、且つＵＥ１とＵＥ２が同一のタイプに属し、即ち、ＵＥ１、ＵＥ２のカバレッジ拡大レベルが同じ、又はＵＥ１、ＵＥ２がサポートする必要があるランダムアクセスシーケンスの送信の繰り返し回数が同じ、又はＵＥ１、ＵＥ２が計算して得たＲＡ−ＲＮＴＩが同じであると仮設する。
【０２６９】
本発明の実施例の以外、ＵＥ１とＵＥ２が更に異なるタイプに属してもよいが、システムが、同一の前記ランダムアクセス応答シグナリングにおいてランダムアクセス応答情報を送信できる第２のノードのタイプを予め定義し、且つＵＥ１とＵＥ２が前記タイプに属する必要がある。
【０２７０】
本発明の実施例１２
本発明の実施例はランダムアクセスチャネルリソース設定方法を提供しており、該方法でＭＴＣ  ＵＥアクセスを完了するプロセスは、以下の（１）〜（４）を含む。
【０２７１】
（１）ＦＤＤ−ＬＴＥシステムにおいて、ランダムアクセスチャネルリソース設定情報は１つのランダムアクセスチャネル設定情報で指示され、前記ランダムアクセスチャネル設定情報には少なくともｐｒａｃｈ−ＣｏｎｆｉｇＩｎｄｅｘ及びｐｒａｃｈ−ＦｒｅｑＯｆｆｓｅｔが含まれる。
【０２７２】
そのうち、ｐｒａｃｈ−ＣｏｎｆｉｇＩｎｄｅｘは、ＰＲＡＣＨの開始リソース（時間領域長さが１つのｓｕｂｆｒａｍｅである）の１つの予め定義された時間領域長さ内での割り当てられた時間領域位置情報及び前記予め定義された時間領域長さ内でのＰＲＡＣＨの開始リソースの数を記述するためのものである。ｐｒａｃｈ−ＣｏｎｆｉｇＩｎｄｅｘの異なる値と、ＰＲＡＣＨの開始リソースの前記予め定義された時間領域長さ内での位置情報及びＰＲＡＣＨの開始リソースの前記予め定義された時間領域長さ内での数は、１つのマッピング関係が存在し、システムによって設定される。本発明の実施例において、ｐｒａｃｈ−ＣｏｎｆｉｇＩｎｄｅｘは表２における「ＰＲＡＣＨ  Ｃｏｎｆｉｇｕｒａｔｉｏｎ  Ｉｎｄｅｘ」に相当し、表２に示すように、ＰＲＡＣＨ  Ｃｏｎｆｉｇｕｒａｔｉｏｎ  Ｉｎｄｅｘの値に基づいて、「ＰｒｅａｍｂｌｅＦｏｒｍａｔ」、「Ｓｙｓｔｅｍ  ｆｒａｍｅ  ｎｕｍｂｅｒ」及び「Ｓｕｂｆｒａｍｅ  ｎｕｍｂｅｒ」を知ることができる。そのうち、「ＰｒｅａｍｂｌｅＦｏｒｍａｔ」がランダムアクセスシーケンスフォーマットを表し、「Ｓｙｓｔｅｍ  ｆｒａｍｅ  ｎｕｍｂｅｒ」がシステムフレーム番号を表し（Ｅｖｅｎが偶数フレームを表し、Ａｎｙがすべてのフレームを表す）、「Ｓｕｂｆｒａｍｅ  ｎｕｍｂｅｒ」がサブフレーム番号を表す。
【０２７３】
2016527831.tif 000045
2016527831.tif 000046
【０２７４】
ｐｒａｃｈ−ＣｏｎｆｉｇＩｎｄｅｘ＝１４である場合、表２から分かるように、ランダムアクセスシーケンスフォーマットはＰｒｅａｍｂｌｅＦｏｒｍａｔ＝０であり（このようなフォーマットでＰＲＡＣＨリソースが１つのＳｕｂｆｒａｍｅのみを占有する）、それぞれのＦｒａｍｅのＳｕｂｆｒａｍｅ０〜９にはいずれもＰＲＡＣＨ開始リソースが設定され、本発明の実施例では、つまりＰＲＡＣＨリソースである。
【０２７５】
ｐｒａｃｈ−ＦｒｅｑＯｆｆｓｅｔ＝７である場合、ＰＲＡＣＨリソースが周波数領域上で占有する最小ＰＲＢインデックスがＰＲＢ７であることを表し、図１１に示すように、ＰＲＡＣＨリソースが周波数領域で６つのＲＰＢを占有すると、それぞれのＦｒａｍｅにおけるそれぞれのＳｕｂｆｒａｍｅにおいてＰＲＢ７〜ＰＲＢ１２を  ＰＲＡＣＨリソースに設定する。
【０２７６】
本発明の実施例において、ＦＤＤ−ＬＴＥシステムにおいて、ＬＴＥ  ＵＥ及びＭＴＣ  ＵＥは同時に存在し、且つＬＴＥ  ＵＥとＭＴＣ  ＵＥが使用するＰＲＡＣＨリソースは同じではなく、図１１におけるＰＲＡＣＨリソースはＭＴＣ  ＵＥに割り当てられたものである。更に、ＭＴＣ  ＵＥを、カバレッジ拡大を必要としないＭＴＣ  ＵＥ（即ちＮｏｒｍａｌ  ＭＴＣ  ＵＥ）及びカバレッジ拡大を必要とするＭＴＣ  ＵＥ（Ｃｏｖｅｒａｇｅ  Ｉｍｐｒｏｖｅｍｅｎｔ  ＭＴＣ  ＵＥ）に分ける。更に、Ｃｏｖｅｒａｇｅ  Ｉｍｐｒｏｖｅｍｅｎｔ  ＭＴＣ  ＵＥを更に複数のレベルに分け、本発明の実施例では３つのレベルに分け、それぞれＣｏｖｅｒａｇｅ  Ｉｍｐｒｏｖｅｍｅｎｔ  Ｌｅｖｅｌ  １、Ｃｏｖｅｒａｇｅ  Ｉｍｐｒｏｖｅｍｅｎｔ  Ｌｅｖｅｌ  ２及びＣｏｖｅｒａｇｅ  Ｉｍｐｒｏｖｅｍｅｎｔ  Ｌｅｖｅｌ  ３であり、分け原則は、
Ｃｏｖｅｒａｇｅ  Ｉｍｐｒｏｖｅｍｅｎｔ  ＭＴＣ  ＵＥがサポートする必要があるカバレッジ拡大レベルの相違に基づいて、複数のレベルに分けること、
Ｃｏｖｅｒａｇｅ  Ｉｍｐｒｏｖｅｍｅｎｔ  ＭＴＣ  ＵＥがサポートする必要があるランダムアクセスシーケンスの送信の繰り返し回数の相違に基づいて、複数のレベルに分けること、
Ｃｏｖｅｒａｇｅ  Ｉｍｐｒｏｖｅｍｅｎｔ  ＭＴＣ  ＵＥがＰＢＣＨ（Ｐｈｙｓｉｃａｌ  Ｂｒｏａｄｃａｓｔ  Ｃｈａｎｎｅｌ、物理ブロードキャストチャネル）を復号することに成功した場合の、使用するＰＢＣＨチャネルの繰り返し回数の相違に基づいて、複数のレベルに分けること、のうちの少なくとも１つである。
【０２７７】
本発明の実施例において、図１２に示すように、Ｆｒａｍｅ  ０において、ＰＲＡＣＨリソースＲＡ（０）〜ＲＡ（４）はＮｏｒｍａｌ  ＭＴＣ  ＵＥに割り当てられ、ＲＡ（５）はＣｏｖｅｒａｇｅ  Ｉｍｐｒｏｖｅｍｅｎｔ  Ｌｅｖｅｌ  １のＭＴＣ  ＵＥに割り当てられ、ＲＡ（６）〜ＲＡ（７）はＣｏｖｅｒａｇｅ  Ｉｍｐｒｏｖｅｍｅｎｔ  Ｌｅｖｅｌ  ２のＭＴＣ  ＵＥに割り当てられ、ＲＡ（８）〜ＲＡ（９）はＣｏｖｅｒａｇｅ  Ｉｍｐｒｏｖｅｍｅｎｔ  Ｌｅｖｅｌ  ３のＭＴＣ  ＵＥに割り当てられる。Ｆｒａｍｅ１、Ｆｒａｍｅ２、…Ｆｒａｍｅ  ｋ…は同一の方式でＰＲＡＣＨリソースを割り当てる。
【０２７８】
そのうち、前記ランダムアクセスチャネル設定情報は、
システム情報ブロック（Ｓｙｓｔｅｍ  Ｉｎｆｏｒｍａｔｉｏｎ  Ｂｌｏｃｋ、ＳＩＢ）、
マスタ情報ブロック（Ｍａｓｔｅｒ  Ｉｎｆｏｒｍａｔｉｏｎ  Ｂｌｏｃｋ、ＭＩＢ）、
ダウンリンク制御情報（Ｄｏｗｎｌｉｎｋ  Ｃｏｎｔｒｏｌ  Ｉｎｆｏｒｍａｔｉｏｎ、ＤＣＩ）、のうちの少なくとも１つに設定されてもよい。
【０２７９】
そのうち、前記ランダムアクセスチャネル設定情報は、
物理ブロードキャストチャネル（Ｐｈｙｓｉｃａｌ  Ｂｒｏａｄｃａｓｔ  Ｃｈａｎｎｅｌ、ＰＢＣＨ）、
物理ダウンリンク制御チャネル（Ｐｈｙｓｉｃａｌ  Ｄｏｗｎｌｉｎｋ  ｃｏｎｔｒｏｌ  Ｃｈａｎｎｅｌ、ＰＤＣＣＨ）、
強化物理ダウンリンク制御チャネル（Ｅｎｈａｎｃｅｄ  Ｐｈｙｓｉｃａｌ  Ｄｏｗｎｌｉｎｋ  ｃｏｎｔｒｏｌ  Ｃｈａｎｎｅｌ、ＰＤＣＣＨ）、
物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）、のうちの少なくとも１つにおいて送信されてもよい。
【０２８０】
2016527831.tif 000047
2016527831.tif 000048
【０２８１】
（３）前記ＭＴＣ  ＵＥは、割り当てられたランダムアクセスリソースにおいてランダムアクセスシグナリングを送信する。
【０２８２】
（４）第１のノードは前記ＭＴＣ  ＵＥが送信した前記ランダムアクセスシグナリングを受信した後、前記ＭＴＣ  ＵＥが送信した前記ランダムアクセスシグナリングに応答するように、前記第１のノードは前記ＭＴＣ  ＵＥにランダムアクセス応答シグナリングを送信する。
【０２８３】
そのうち、前記ランダムアクセス応答シグナリングには、１つ又は複数の前記ＭＴＣ  ＵＥのランダムアクセス応答情報が含まれ、同一のランダムアクセス応答シグナリングにランダムアクセス応答情報が含まれることができるＭＴＣ  ＵＥのタイプはシステムにより設定され又は前記第１のノードにより前記ＭＴＣ  ＵＥに送信される。
【０２８４】
本発明の実施例では、前記ランダムアクセス応答シグナリングに２つのＭＴＣ  ＵＥ、例えばＵＥ１とＵＥ２のランダムアクセス応答情報が含まれ、且つＵＥ１とＵＥ２がいずれもＣｏｖｅｒａｇｅ  Ｉｍｐｒｏｖｅｍｅｎｔ  Ｌｅｖｅｌ  ２に属し、且つＣｏｖｅｒａｇｅ  Ｉｍｐｒｏｖｅｍｅｎｔ  Ｌｅｖｅｌ  ２に対応する前記ランダムアクセス応答シグナリングの繰り返し回数がＡであり、上記対応関係がシステムによって設定されると仮設する。前記第１のノードが前記ランダムアクセス応答シグナリングを送信する場合、Ａ回繰り返し送信を採用する。
【０２８５】
本発明の実施例の以外、前記ランダムアクセス応答シグナリングに２つのＭＴＣ  ＵＥ、例えばＵＥ１とＵＥ２のランダムアクセス応答情報が含まれ、且つＵＥ１とＵＥ２がいずれもＣｏｖｅｒａｇｅ  Ｉｍｐｒｏｖｅｍｅｎｔ  Ｌｅｖｅｌ  ２に属し、且つ前記ランダムアクセス応答シグナリングの繰り返し回数情報が直接にダウンリンク制御情報で指示され、ＰＤＣＣＨ又はｅＰＤＣＣＨによりＵＥ１とＵＥ２に送信されると仮設する。
【０２８６】
本発明の実施例の以外、前記ランダムアクセス応答シグナリングに２つのＭＴＣ  ＵＥ、例えばＵＥ１とＵＥ２のランダムアクセス応答情報が含まれ、且つＵＥ１とＵＥ２がサポートするランダムアクセスシーケンスの繰り返し送信回数が同じであり、例えばいずれもＣ回であり、且つランダムアクセスシーケンスの繰り返し送信回数Ｃ回に対応する前記ランダムアクセス応答シグナリングの繰り返し回数がＡであり、上記対応関係がシステムによって設定されると仮設し、本発明の実施例の以外、ＵＥ１とＵＥ２は更に、異なるＣｏｖｅｒａｇｅ  Ｉｍｐｒｏｖｅｍｅｎｔ  Ｌｅｖｅｌに属してもよく、例えば、ＵＥ１がＣｏｖｅｒａｇｅ  Ｉｍｐｒｏｖｅｍｅｎｔ  Ｌｅｖｅｌ  ２に属し、ＵＥ２がＣｏｖｅｒａｇｅ  Ｉｍｐｒｏｖｅｍｅｎｔ  Ｌｅｖｅｌ  ３に属し、且つＣｏｖｅｒａｇｅ  Ｉｍｐｒｏｖｅｍｅｎｔ  Ｌｅｖｅｌ  ２に対応する前記ランダムアクセス応答シグナリングの繰り返し回数がＡであり、Ｃｏｖｅｒａｇｅ  Ｉｍｐｒｏｖｅｍｅｎｔ  Ｌｅｖｅｌ  ３に対応する前記ランダムアクセス応答シグナリングの繰り返し回数がＢであり、例えばＢ＞Ａであると、前記ランダムアクセス応答シグナリングがＢ回繰り返し送信を採用する。
【０２８７】
本発明の実施例の以外、ＵＥ１とＵＥ２がサポートするランダムアクセスシーケンスの繰り返し送信回数は同じではなく、例えば、ＵＥ１がサポートするランダムアクセスシーケンスの繰り返し送信回数はＤ回であり、ＵＥ２がサポートするランダムアクセスシーケンスの繰り返し送信回数はＦ回である。ランダムアクセスシーケンスの繰り返し送信回数がＤである場合、対応する前記ランダムアクセス応答シグナリングの繰り返し回数がＡであり、ランダムアクセスシーケンスの繰り返し送信回数がＦである場合、対応する前記ランダムアクセス応答シグナリングの繰り返し回数がＢであり、例えばＢ＞Ａであると、前記ランダムアクセス応答シグナリングがＢ回繰り返し送信を採用する。
【０２８８】
本発明の実施例の以外、システムによって設定されたＰＢＣＨの最大繰り返し送信回数がＧ回であり、且つＰＢＣＨの最大繰り返し送信回数がＧ回である場合、対応する前記ランダムアクセス応答シグナリングの繰り返し回数がＡであり、仮に前記ランダムアクセス応答シグナリングには２つのＭＴＣ  ＵＥ、例えばＵＥ１とＵＥ２のランダムアクセス応答情報が含まれるとすると、前記ランダムアクセス応答シグナリングがＡ回繰り返し送信を採用する。
【０２８９】
本発明の実施例の以外、システムによって設定されたＰＢＣＨのいくつかの繰り返し送信回数は、例えばそれぞれＧ１、Ｇ２、Ｇ３及びＧ４であり、且つ上記ＰＢＣＨの繰り返し送信回数と前記ランダムアクセス応答シグナリングの繰り返し送信回数とは１つの対応関係が存在し、例えばＧ１、Ｇ２、Ｇ３及びＧ４は、それぞれ前記ランダムアクセス応答シグナリングの繰り返し送信回数のＡ１、Ａ２、Ａ３及びＡ４に対応する。前記ランダムアクセス応答シグナリングに２つのＭＴＣ  ＵＥ、例えばＵＥ１とＵＥ２のランダムアクセス応答情報が含まれ、且つＵＥ１とＵＥ２がＰＢＣＨを復号する場合、ＰＢＣＨの累積繰り返し回数がそれぞれＧ１とＧ２に最も近いと仮設すると、前記ランダムアクセス応答シグナリングがＡ２回繰り返し送信を採用する。
【０２９０】
本発明の実施例の以外、システムによって設定されたＰＢＣＨのいくつかの繰り返し送信回数は、例えばそれぞれＧ１、Ｇ２、Ｇ３及びＧ４であり、且つ上記ＰＢＣＨの繰り返し送信回数と前記ランダムアクセス応答シグナリングの繰り返し送信回数とは１つの対応関係が存在し、例えばＧ１、Ｇ２、Ｇ３及びＧ４は、それぞれ前記ランダムアクセス応答シグナリングの繰り返し送信回数のＡ１、Ａ２、Ａ３及びＡ４に対応する。前記ランダムアクセス応答シグナリングに２つのＭＴＣ  ＵＥ、例えばＵＥ１とＵＥ２のランダムアクセス応答情報が含まれ、且つＵＥ１とＵＥ２がＰＢＣＨを復号する場合、ＰＢＣＨの累積繰り返し回数がいずれもＧ２に最も近いと仮設すると、前記ランダムアクセス応答シグナリングがＡ２回繰り返し送信を採用する。
【０２９１】
本発明の実施例の以外、システムによって設定されたＭＩＢの最大繰り返し送信回数はＧ回であり、且つＭＩＢの最大繰り返し送信回数がＧ回である場合、対応する前記ランダムアクセス応答シグナリングの繰り返し回数がＡであり、仮に前記ランダムアクセス応答シグナリングに２つのＭＴＣ  ＵＥ、例えばＵＥ１とＵＥ２のランダムアクセス応答情報が含まれるとすると、前記ランダムアクセス応答シグナリングがＡ回繰り返し送信を採用する。
【０２９２】
本発明の実施例の以外、システムによって設定されたＭＩＢのいくつかの繰り返し送信回数は、例えばそれぞれＧ１、Ｇ２、Ｇ３及びＧ４であり、且つ上記ＭＩＢの繰り返し送信回数と前記ランダムアクセス応答シグナリングの繰り返し送信回数とは１つの対応関係が存在し、例えばＧ１、Ｇ２、Ｇ３及びＧ４は、それぞれ前記ランダムアクセス応答シグナリングの繰り返し送信回数のＡ１、Ａ２、Ａ３及びＡ４に対応する。前記ランダムアクセス応答シグナリングに２つのＭＴＣ  ＵＥ、例えばＵＥ１とＵＥ２のランダムアクセス応答情報が含まれ、且つＵＥ１とＵＥ２がＭＩＢを復号する場合、ＭＩＢの累積繰り返し回数がそれぞれＧ１とＧ２に最も近いと仮設すると、前記ランダムアクセス応答シグナリングがＡ２回繰り返し送信を採用する。
【０２９３】
本発明の実施例の以外、システムによって設定されたＭＩＢのいくつかの繰り返し送信回数は、例えばそれぞれＧ１、Ｇ２、Ｇ３及びＧ４であり、且つ上記ＭＩＢの繰り返し送信回数と前記ランダムアクセス応答シグナリングの繰り返し送信回数とは１つの対応関係が存在し、例えばＧ１、Ｇ２、Ｇ３及びＧ４は、それぞれ前記ランダムアクセス応答シグナリングの繰り返し送信回数のＡ１、Ａ２、Ａ３及びＡ４に対応する。前記ランダムアクセス応答シグナリングに２つのＭＴＣ  ＵＥ、例えばＵＥ１とＵＥ２のランダムアクセス応答情報が含まれ、且つＵＥ１とＵＥ２がＭＩＢを復号する場合、ＭＩＢの累積繰り返し回数がいずれもＧ２に最も近いと仮設すると、前記ランダムアクセス応答シグナリングがＡ２回繰り返し送信を採用する。
【０２９４】
本発明の実施例の以外、システムによって設定されたＳＩＢの最大繰り返し送信回数がＧ回であり、且つＳＩＢの最大繰り返し送信回数がＧ回である場合、対応する前記ランダムアクセス応答シグナリングの繰り返し回数がＡであり、仮に前記ランダムアクセス応答シグナリングに２つのＭＴＣ  ＵＥ、例えばＵＥ１とＵＥ２のランダムアクセス応答情報が含まれるとすると、前記ランダムアクセス応答シグナリングがＡ回繰り返し送信を採用する。
【０２９５】
本発明の実施例の以外、システムによって設定されたＳＩＢのいくつかの繰り返し送信回数は、例えばそれぞれＧ１、Ｇ２、Ｇ３及びＧ４であり、且つ上記ＳＩＢの繰り返し送信回数と前記ランダムアクセス応答シグナリングの繰り返し送信回数とは１つの対応関係が存在し、例えばＧ１、Ｇ２、Ｇ３及びＧ４は、それぞれ前記ランダムアクセス応答シグナリングの繰り返し送信回数のＡ１、Ａ２、Ａ３及びＡ４に対応する。前記ランダムアクセス応答シグナリングに２つのＭＴＣ  ＵＥ、例えばＵＥ１とＵＥ２のランダムアクセス応答情報が含まれ、且つＵＥ１とＵＥ２がＳＩＢを復号する場合、ＳＩＢの累積繰り返し回数がそれぞれＧ１とＧ２に最も近いと仮設すると、前記ランダムアクセス応答シグナリングがＡ２回繰り返し送信を採用する。
【０２９６】
本発明の実施例の以外、システムによって設定されたＳＩＢのいくつかの繰り返し送信回数は、例えばそれぞれＧ１、Ｇ２、Ｇ３及びＧ４であり、且つ上記ＳＩＢの繰り返し送信回数と前記ランダムアクセス応答シグナリングの繰り返し送信回数とは１つの対応関係が存在し、例えばＧ１、Ｇ２、Ｇ３及びＧ４は、それぞれ前記ランダムアクセス応答シグナリングの繰り返し送信回数のＡ１、Ａ２、Ａ３及びＡ４に対応する。前記ランダムアクセス応答シグナリングに２つのＭＴＣ  ＵＥ、例えばＵＥ１とＵＥ２のランダムアクセス応答情報が含まれ、且つＵＥ１とＵＥ２がＳＩＢを復号する場合、ＳＩＢの累積繰り返し回数がいずれもＧ２に最も近いと仮設すると、前記ランダムアクセス応答シグナリングがＡ２回繰り返し送信を採用する。
【０２９７】
そのうち、前記第１のノードは、
マクロセル（Ｍａｃｒｏｃｅｌｌ）、マイクロセル（Ｍｉｃｒｏｃｅｌｌ）、ピコセル（Ｐｉｃｏｃｅｌｌ）、ホームセルとも呼ばれるフェムトセル（Ｆｅｍｔｏｃｅｌｌ）、低電力ノード（ＬＰＮ）及びリレー（Ｒｅｌａｙ）、スモールセル（Ｓｍａｌｌ  Ｃｅｌｌ）のうちの１つである。
【０２９８】
本発明の実施例１３
本発明の実施例はランダムアクセスチャネルリソース設定方法を提供しており、該方法でＭＴＣ  ＵＥアクセスを完了するプロセスは、以下の（１）〜（４）を含む。
【０２９９】
（１）ＦＤＤ−ＬＴＥシステムにおいて、ランダムアクセスチャネルリソース設定情報は１つのランダムアクセスチャネル設定情報で指示され、前記ランダムアクセスチャネル設定情報には少なくともｐｒａｃｈ−ＣｏｎｆｉｇＩｎｄｅｘ及びｐｒａｃｈ−ＦｒｅｑＯｆｆｓｅｔが含まれる。
【０３００】
そのうち、ｐｒａｃｈ−ＣｏｎｆｉｇＩｎｄｅｘは、ＰＲＡＣＨの開始リソース（時間領域長さが１つのｓｕｂｆｒａｍｅである）の１つの予め定義された時間領域長さ内での割り当てられた時間領域位置情報及び前記予め定義された時間領域長さ内でのＰＲＡＣＨの開始リソースの数を記述するためのものである。ｐｒａｃｈ−ＣｏｎｆｉｇＩｎｄｅｘの異なる値と、ＰＲＡＣＨの開始リソースの前記予め定義された時間領域長さ内での位置情報及びＰＲＡＣＨの開始リソースの前記予め定義された時間領域長さ内での数は、１つのマッピング関係が存在し、システムによって設定される。本発明の実施例において、ｐｒａｃｈ−ＣｏｎｆｉｇＩｎｄｅｘは表２におけるＰＲＡＣＨ  Ｃｏｎｆｉｇｕｒａｔｉｏｎ  Ｉｎｄｅｘに相当し、表２に示すように、ＰＲＡＣＨ  Ｃｏｎｆｉｇｕｒａｔｉｏｎ  Ｉｎｄｅｘの値に基づいて、「ＰｒｅａｍｂｌｅＦｏｒｍａｔ」、「Ｓｙｓｔｅｍ  ｆｒａｍｅ  ｎｕｍｂｅｒ」及び「Ｓｕｂｆｒａｍｅ  ｎｕｍｂｅｒ」を知ることができる。そのうち、「ＰｒｅａｍｂｌｅＦｏｒｍａｔ」がランダムアクセスシーケンスフォーマットを表し、「Ｓｙｓｔｅｍ  ｆｒａｍｅ  ｎｕｍｂｅｒ」がシステムフレーム番号を表し（Ｅｖｅｎが偶数フレームを表し、Ａｎｙがすべてのフレームを表す）、「Ｓｕｂｆｒａｍｅ  ｎｕｍｂｅｒ」がサブフレーム番号を表す。
【０３０１】
ｐｒａｃｈ−ＣｏｎｆｉｇＩｎｄｅｘ＝１４である場合、表２から分かるように、ランダムアクセスシーケンスフォーマットはＰｒｅａｍｂｌｅＦｏｒｍａｔ＝０であり（このようなフォーマットでＰＲＡＣＨリソースが１つのＳｕｂｆｒａｍｅのみを占有する）、それぞれのＦｒａｍｅのＳｕｂｆｒａｍｅ０〜９にはいずれもＰＲＡＣＨ開始リソースが割り当てられ、本発明の実施例において、つまりＰＲＡＣＨリソースである。
【０３０２】
2016527831.tif 000049
2016527831.tif 000050
【０３０３】
それぞれのＦｒａｍｅにおいて、ＰＲＡＣＨリソース設定は図１３に示すように、Ｆｒａｍｅ０、Ｆｒａｍｅ２、Ｆｒａｍｅ４、…において周波数領域リソースＰＲＢ７〜ＰＲＢ１２を占有し、Ｆｒａｍｅ１、Ｆｒａｍｅ３、Ｆｒａｍｅ５、…において周波数領域リソースＰＲＢ３７〜ＰＲＢ４２を占有する。
【０３０４】
本発明の実施例において、ＦＤＤ−ＬＴＥシステムではＬＴＥ  ＵＥ及びＭＴＣ  ＵＥが同時に存在し、且つＬＴＥ  ＵＥとＭＴＣ  ＵＥが使用するＰＲＡＣＨリソースは同じではなく、図１３におけるＰＲＡＣＨリソースはＭＴＣ  ＵＥに割り当てられたものである。更に、ＭＴＣ  ＵＥを、カバレッジ拡大を必要としないＭＴＣ  ＵＥ（即ちＮｏｒｍａｌ  ＭＴＣ  ＵＥ）及びカバレッジ拡大を必要とするＭＴＣ  ＵＥ（Ｃｏｖｅｒａｇｅ  Ｉｍｐｒｏｖｅｍｅｎｔ  ＭＴＣ  ＵＥ）に分ける。更に、Ｃｏｖｅｒａｇｅ  Ｉｍｐｒｏｖｅｍｅｎｔ  ＭＴＣ  ＵＥを更に複数のレベルに分け、本発明の実施例では３つのレベルに分け、それぞれＣｏｖｅｒａｇｅ  Ｉｍｐｒｏｖｅｍｅｎｔ  Ｌｅｖｅｌ  １、Ｃｏｖｅｒａｇｅ  Ｉｍｐｒｏｖｅｍｅｎｔ  Ｌｅｖｅｌ  ２及びＣｏｖｅｒａｇｅ  Ｉｍｐｒｏｖｅｍｅｎｔ  Ｌｅｖｅｌ  ３であり、分け原則は、
Ｃｏｖｅｒａｇｅ  Ｉｍｐｒｏｖｅｍｅｎｔ  ＭＴＣ  ＵＥがサポートする必要があるカバレッジ拡大レベルの相違に基づいて、複数のレベルに分けること、
Ｃｏｖｅｒａｇｅ  Ｉｍｐｒｏｖｅｍｅｎｔ  ＭＴＣ  ＵＥがサポートする必要があるランダムアクセスシーケンスの送信の繰り返し回数の相違に基づいて、複数のレベルに分けること、
Ｃｏｖｅｒａｇｅ  Ｉｍｐｒｏｖｅｍｅｎｔ  ＭＴＣ  ＵＥがＰＢＣＨ（Ｐｈｙｓｉｃａｌ  Ｂｒｏａｄｃａｓｔ  Ｃｈａｎｎｅｌ、物理ブロードキャストチャネル）を復号することに成功した場合の、使用するＰＢＣＨチャネルの繰り返し回数の相違に基づいて、複数のレベルに分けること、のうちの少なくとも１つである。
【０３０５】
本発明の実施例において、図１４に示すように、Ｆｒａｍｅ  ０において、ＰＲＡＣＨリソースＲＡ（０）〜ＲＡ（４）はＮｏｒｍａｌ  ＭＴＣ  ＵＥに割り当てられ、ＲＡ（５）はＣｏｖｅｒａｇｅ  Ｉｍｐｒｏｖｅｍｅｎｔ  Ｌｅｖｅｌ  １のＭＴＣ  ＵＥに割り当てられ、ＲＡ（６）〜ＲＡ（７）はＣｏｖｅｒａｇｅ  Ｉｍｐｒｏｖｅｍｅｎｔ  Ｌｅｖｅｌ  ２のＭＴＣ  ＵＥに割り当てられ、ＲＡ（８）〜ＲＡ（９）はＣｏｖｅｒａｇｅ  Ｉｍｐｒｏｖｅｍｅｎｔ  Ｌｅｖｅｌ  ３のＭＴＣ  ＵＥに割り当てられる。Ｆｒａｍｅ１、Ｆｒａｍｅ２、…Ｆｒａｍｅ  ｋ…は同一の方式でＰＲＡＣＨリソースを割り当てる。
【０３０６】
そのうち、前記ランダムアクセスチャネル設定情報は、
システム情報ブロック（Ｓｙｓｔｅｍ  Ｉｎｆｏｒｍａｔｉｏｎ  Ｂｌｏｃｋ、ＳＩＢ）、
マスタ情報ブロック（Ｍａｓｔｅｒ  Ｉｎｆｏｒｍａｔｉｏｎ  Ｂｌｏｃｋ、ＭＩＢ）、
ダウンリンク制御情報（Ｄｏｗｎｌｉｎｋ  Ｃｏｎｔｒｏｌ  Ｉｎｆｏｒｍａｔｉｏｎ、ＤＣＩ）、のうちの少なくとも１つに設定されてもよい。
【０３０７】
そのうち、前記ランダムアクセスチャネル設定情報は、
物理ブロードキャストチャネル（Ｐｈｙｓｉｃａｌ  Ｂｒｏａｄｃａｓｔ  Ｃｈａｎｎｅｌ、ＰＢＣＨ）、
物理ダウンリンク制御チャネル（Ｐｈｙｓｉｃａｌ  Ｄｏｗｎｌｉｎｋ  ｃｏｎｔｒｏｌ  Ｃｈａｎｎｅｌ、ＰＤＣＣＨ）、
物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）、のうちの少なくとも１つにおいて送信されてもよい。
【０３０８】
2016527831.tif 000051
【０３０９】
（３）前記ＭＴＣ  ＵＥは、割り当てられたランダムアクセスリソースにおいてランダムアクセスシグナリングを送信する。
【０３１０】
（４）第１のノードは前記ＭＴＣ  ＵＥが送信した前記ランダムアクセスシグナリングを受信した後、前記ＭＴＣ  ＵＥが送信した前記ランダムアクセスシグナリングに応答するように、前記第１のノードは前記ＭＴＣ  ＵＥにランダムアクセス応答シグナリングを送信する。
【０３１１】
そのうち、前記ランダムアクセス応答シグナリングには、１つ又は複数の前記ＭＴＣ  ＵＥのランダムアクセス応答情報が含まれ、同一のランダムアクセス応答シグナリングにランダムアクセス応答情報が含まれることができるＭＴＣ  ＵＥのタイプはシステムにより設定され又は前記第１のノードにより前記ＭＴＣ  ＵＥに送信される。
【０３１２】
本発明の実施例では、前記ランダムアクセス応答シグナリングに２つのＭＴＣ  ＵＥ、例えばＵＥ１とＵＥ２のランダムアクセス応答情報が含まれ、且つＵＥ１とＵＥ２がいずれもＣｏｖｅｒａｇｅ  Ｉｍｐｒｏｖｅｍｅｎｔ  Ｌｅｖｅｌ  ２に属すると仮設する。
【０３１３】
本発明の実施例の以外、ＵＥ１とＵＥ２は異なるＣｏｖｅｒａｇｅ  Ｉｍｐｒｏｖｅｍｅｎｔ  Ｌｅｖｅｌに属してもよいが、システムによって予め定義される必要がある。
【０３１４】
そのうち、前記第１のノードは、
マクロセル（Ｍａｃｒｏｃｅｌｌ）、マイクロセル（Ｍｉｃｒｏｃｅｌｌ）、ピコセル（Ｐｉｃｏｃｅｌｌ）、ホームセルとも呼ばれるフェムトセル（Ｆｅｍｔｏｃｅｌｌ）、低電力ノード（ＬＰＮ）及びリレー（Ｒｅｌａｙ）、スモールセル（Ｓｍａｌｌ  Ｃｅｌｌ）のうちの１つである。
【０３１５】
本発明の実施例１４
本発明の実施例に係るランダムアクセスチャネルリソース設定システムは、第１のノード及び第２のノードを備え、
前記第１のノードは、前記第２のノードに１つ又は複数のランダムアクセスチャネル設定情報指示を含むランダムアクセスチャネルリソース設定情報を送信することに用いられる。
【０３１６】
好ましくは、前記第２のノードは１つ又は複数の端末であり、又は１つ又は複数の端末グループである。
【０３１７】
好ましくは、前記第１のノードは、
Ｍａｃｒｏｃｅｌｌ、Ｍｉｃｒｏｃｅｌｌ、Ｐｉｃｏｃｅｌｌ、ホームセル、ＬＰＮ、Ｒｅｌａｙ、Ｓｍａｌｌ  Ｃｅｌｌのうちの少なくとも１つである。
【０３１８】
好ましくは、前記第２のノードは、前記ランダムアクセスチャネル設定情報に基づいて、対応するランダムアクセスチャネルリソースを確定し、前記ランダムアクセスチャネルリソースを用いて前記第１のノードにランダムアクセスシグナリングを送信することに用いられ、
前記第１のノードは更に、前記第２のノードが送信した前記ランダムアクセスシグナリングに応答するように、前記第２のノードにランダムアクセス応答シグナリングを送信することに用いられる。
【０３１９】
本発明の実施例に係るランダムアクセスチャネルリソース設定システムは、本発明の実施例に係るランダムアクセスチャネルリソース設定方法と合わせて、ＬＴＥ／Ａ−ＬＴＥシステムにおけるＭＴＣ  ＵＥのアクセスを完了することができる。
【０３２０】
一般の当業者は、上記実施例の全部又は一部のステップをコンピュータプログラムフローによって実現することができ、前記コンピュータプログラムはコンピュータ読み取り可能な記憶媒体に記憶してもよいと理解することができ、前記コンピュータプログラムは相応なハードウェアプラットフォーム（例えばシステム、設備、装置、デバイス等）において実行され、実行する時、方法実施例のステップの一つ又はその組合せを含む。
【０３２１】
選択的に、上記実施例の全部又は一部のステップを集積回路により実現してもよく、これらのステップをそれぞれ集積回路モジュールに製作し、又はそれらのうちの複数のモジュール又はステップを単一の集積回路モジュールに製作して実現してもよい。このように、本発明はいかなる特定形式のハードウェアとソフトウェアの組合せに限らない。
【０３２２】
上記実施例における各装置／機能モジュール／機能ユニットは汎用の計算装置で実現されてもよく、それらは単一の計算装置に集中されてもよく、複数の計算装置からなるネットワークに分布してもよい。
【０３２３】
上記実施例における各装置／機能モジュール／機能ユニットはソフトウェア機能モジュールの形式で実現され、且つ独立した製品として販売又は使用される時、１つのコンピュータ読み取り可能な記憶媒体に記憶されてもよい。上記コンピュータ読み取り可能な記憶媒体は読み出し専用メモリ、ディスク又は光ディスク等であってもよい。  
【０３２４】
本技術分野に詳しい当業者は、本発明に開示される技術範囲内において、容易に変化又は取り替えを想到し得ることができ、いずれも本発明の保護範囲内に属すべきである。従って、本発明の保護範囲は特許請求の範囲に記載の保護範囲を基準とする。
【産業上の利用可能性】
【０３２５】
本発明の実施例はランダムアクセスチャネルリソース設定方法及びシステムを提供しており、第１のノードが第２のノードへランダムアクセスチャネルリソース設定情報を送信し、ランダムアクセスチャネルリソース設定情報が１つ又は複数のランダムアクセスチャネル設定情報指示を含み、第２のノードがランダムアクセスシグナリングを送信するランダムアクセスチャネルリソースを指示し、ＬＴＥ／ＬＴＥ−ＡシステムにおいてＭＴＣ  ＵＥに対するランダムアクセスチャネルリソース設定を実現し、ＬＴＥ／ＬＴＥ−ＡシステムにおけるＭＴＣ  ＵＥアクセスの問題を解決する。
【図１】
2016527831.tif 000052
【図２】
2016527831.tif 000053
【図３】
2016527831.tif 000054
【図４】
2016527831.tif 000055
【図５】
2016527831.tif 000056
【図６】
2016527831.tif 000057
【図７】
2016527831.tif 000058
【図８】
2016527831.tif 000059
【図９】
2016527831.tif 000060
【図１０】
2016527831.tif 000061
【図１１】
2016527831.tif 000062
【図１２】
2016527831.tif 000063
【図１３】
2016527831.tif 000064
【図１４】
2016527831.tif 000065
【手続補正書】
【提出日】平成28年3月9日(2016.3.9)
【手続補正１】
【補正対象書類名】特許請求の範囲
【補正対象項目名】全文
【補正方法】変更
【補正の内容】
【特許請求の範囲】
【請求項１】
第１のノードが、１つ又は複数のランダムアクセスチャネル設定情報によって指示されるランダムアクセスチャネルリソース設定情報を第２のノードへ送信することを含むランダムアクセスチャネルリソース設定方法。
【請求項２】
前記ランダムアクセスチャネル設定情報には少なくとも第１のリソースの設定情報が含まれ、前記第１のリソースは、
前記第２のノードに割り当てられた、ランダムアクセスシグナリングを送信するためのリソース、
前記第２のノードに割り当てられた、ランダムアクセスシグナリングを送信するための開始リソース、のうちの１つである請求項１に記載のランダムアクセスチャネルリソース設定方法。
【請求項３】
前記第１のリソースは時間領域で１つ又は複数の第１の時間領域の計量単位を占有し、周波数領域で１つ又は複数の第１の周波数領域の計量単位を占有する請求項２に記載のランダムアクセスチャネルリソース設定方法。
【請求項４】
前記第１のリソースの設定情報は、
前記第１のリソースの設定インデックス情報、
前記第１のリソースの周波数領域オフセット情報、のうちの少なくとも１つを含む請求項３に記載のランダムアクセスチャネルリソース設定方法。
【請求項５】
前記第１のリソースの設定インデックス情報は、
前記第１の時間領域の計量単位で表され、且つシステムにより設定され又は第１のノードにより送信される１つの予め定義された時間領域サイクル内において、前記第１のリソースの前記予め定義された時間領域サイクル内で占有する時間領域位置の分布情報、
前記第１の時間領域の計量単位で表され、且つシステムにより設定され又は前記第１のノードにより送信される１つの予め定義された時間領域サイクル内における、前記第１のリソースの数量情報、
前記ランダムアクセスシグナリングのフォーマット情報、
前記第１のリソースが周波数ホッピングをサポートするかどうかの情報、
前記第１のリソースの周波数ホッピングパターン情報、のうちのいずれか１つ又は任意の複数の情報を指示する請求項４に記載のランダムアクセスチャネルリソース設定方法。
【請求項６】
前記第１のリソースの周波数領域での位置情報は、前記第１のリソースの周波数領域オフセット情報によって確定され、
又は
前記第１のリソースの周波数領域での位置情報は、
前記第１のリソースの周波数領域での開始リソース位置の情報、
前記第１のリソースの周波数領域での終了リソース位置の情報、
前記第１のリソースの周波数領域で占有するリソース位置の情報、のうちの少なくとも１つである請求項４に記載のランダムアクセスチャネルリソース設定方法。
【請求項７】
前記第１のリソースの周波数領域位置分布情報は前記第１のリソースの周波数領域オフセット情報及び前記第１のリソースの設定インデックス情報によって確定され、
好ましいのは、前記第１のリソースの周波数領域での位置が複数あり、
さらに好ましいのは、同一の前記時間領域位置での複数の前記第１のリソースは、周波数領域での位置が異なる請求項４に記載のランダムアクセスチャネルリソース設定方法。
【請求項８】
前記ランダムアクセスチャネル設定情報は、
前記第１のリソースの周波数領域位置分布間隔情報を更に含み、
好ましいのは、前記第１のリソースの周波数領域位置分布情報は、前記第１のリソースの周波数領域オフセット情報、第１のリソースの周波数領域位置分布間隔情報及び前記第１のリソースの設定インデックス情報によって確定される請求項４に記載のランダムアクセスチャネルリソース設定方法。
【請求項９】
ランダムアクセスチャネルリソース設定情報が複数のランダムアクセスチャネル設定情報で指示される場合、それぞれのランダムアクセスチャネル設定情報に含まれる第１のリソースの設定情報が異なる請求項１に記載のランダムアクセスチャネルリソース設定方法。
【請求項１０】
前記ランダムアクセスチャネルリソースは１セット又は複数セットのランダムアクセスチャネルリソースサブセットに分けられ、前記ランダムアクセスチャネルリソースサブセットの間は時分割多重化及び／又は周波数分割多重化及び／又は符号分割多重化の方式で前記ランダムアクセスチャネルリソースを多重化する請求項４に記載のランダムアクセスチャネルリソース設定方法。
【請求項１１】
前記ランダムアクセスチャネルリソースサブセットの間が時分割多重化の方式で前記ランダムアクセスチャネルリソースを多重化する場合、
前記第１のリソースのうちの、時間領域位置が１つの予め定義された時間領域セット内にある前記第１のリソースを、１つのランダムアクセスチャネルリソースサブセットに割り当て、又は、
前記第１のリソースのうちの、時間領域位置が１つの予め定義された時間領域セット内にあり且つ同一の周波数領域位置を持つ前記第１のリソースを、１つのランダムアクセスチャネルリソースサブセットに割り当て、又は、
前記第１のリソースのうちの、時間領域位置が１つの予め定義された時間領域セット内にあり且つ予め定義された周波数領域位置にある前記第１のリソースを、１つのランダムアクセスチャネルリソースサブセットに割り当て、
好ましいのは、前記予め定義された時間領域セットには１つ又は複数の時間領域時間点が含まれ、且つ前記時間領域時間点が前記第１の時間領域の計量単位で計測され、前記１つ又は複数の時間領域時間点が時間領域で連続的に又は離散的に分布し、
さらに好ましいのは、前記予め定義された周波数領域位置は、
隣接する２つの前記時間領域時間点での前記第１のリソースの周波数領域位置が異なるという条件、及び／又は、
前記予め定義された周波数領域位置にはＮ種の異なる周波数領域位置を有し、且つ前記予め定義された時間領域セットをＮ個のサブセットに分け、それぞれのサブセットにおける前記第１のリソースの周波数領域位置は前記予め定義された周波数領域位置のうちの１種に対応し、Ｎは１以上の整数であるという条件を満たす必要がある
請求項１０に記載のランダムアクセスチャネルリソース設定方法。
【請求項１２】
前記ランダムアクセスチャネルリソースサブセットの間が周波数分割多重化の方式で前記ランダムアクセスチャネルリソースを多重化する場合、
前記第１のリソースのうちの、周波数領域位置が１つの予め定義された周波数領域セット内にある前記第１のリソースを、１つのランダムアクセスチャネルリソースサブセットに割り当て、又は、
前記第１のリソースのうちの、周波数領域位置が１つの予め定義された周波数領域セット内にあり且つ予め定義された時間領域位置にある前記第１のリソースを、１つのランダムアクセスチャネルリソースサブセットに割り当て、
好ましいのは、前記予め定義された周波数領域セットには１つ又は複数の周波数領域点が含まれ、且つ前記周波数領域点が前記第１の周波数領域の計量単位で計測され、前記１つ又は複数の周波数領域点が周波数領域で連続的に又は離散的に分布し、
又は
前記予め定義された時間領域位置には１つ又は複数の時間領域時間点が含まれ、且つ前記時間領域時間点が前記第１の時間領域の計量単位で計測され、前記１つ又は複数の時間領域時間点が時間領域で連続的に又は離散的に分布する請求項１０に記載のランダムアクセスチャネルリソース設定方法。
【請求項１３】
前記ランダムアクセスチャネルリソースサブセットの間が時分割多重化及び周波数分割多重化の方式で前記ランダムアクセスチャネルリソースを多重化する場合、１つの予め定義されたセット内の前記第１のリソースを１つのランダムアクセスチャネルリソースサブセットに割り当て、
好ましいのは、前記予め定義されたセットにおける要素は１つ又は複数のソーティングされた後の前記第１のリソースであり、
さらに好ましいのは、前記第１のリソースのソーティング規則はシステムによって設定される請求項１０に記載のランダムアクセスチャネルリソース設定方法。
【請求項１４】
前記ランダムアクセスチャネルリソースサブセットの間が符号分割多重化の方式で前記ランダムアクセスチャネルリソースを多重化する場合、
１つのランダムアクセスチャネルリソースサブセットは少なくとも１つの予め定義されたランダムアクセスシーケンスセットからなる請求項１０に記載のランダムアクセスチャネルリソース設定方法。
【請求項１５】
前記予め定義されたランダムアクセスシーケンスセットには１つ又は複数のランダムアクセスシーケンスが含まれる請求項１４に記載のランダムアクセスチャネルリソース設定方法。
【請求項１６】
前記ランダムアクセスチャネルリソースサブセットは、１種のタイプ又は複数種のタイプの前記第２のノードがランダムアクセスシーケンスを送信することをサポートし、
好ましいのは、前記第２のノードは、
第２のノードがサポートする必要があるカバレッジ拡大レベル、
第２のノードがサポートする必要があるランダムアクセスシーケンスの送信の繰り返し回数、
第２のノードが物理ブロードキャストチャネル（ＰＢＣＨ）を復号することに成功した場合の、使用するＰＢＣＨチャネルの繰り返し回数、
第２のノードがマスタ情報ブロック（ＭＩＢ）メッセージを復号することに成功した場合の、ＭＩＢメッセージの繰り返し回数、
第２のノードがシステム情報ブロック（ＳＩＢ）メッセージを復号することに成功した場合の、ＳＩＢメッセージの繰り返し回数、
第２のノードがＰＢＣＨを復号することに成功した場合の、ＭＩＢメッセージの繰り返し回数、のうちの１つの原則に応じてタイプを分け、
さらに好ましいのは、前記第２のノードは１つ又は複数の端末であり、又は１つ又は複数の端末グループである請求項１４に記載のランダムアクセスチャネルリソース設定方法。
【請求項１７】
前記第１のノードは、
マクロセル（Ｍａｃｒｏｃｅｌｌ）、マイクロセル（Ｍｉｃｒｏｃｅｌｌ）、ピコセル（Ｐｉｃｏｃｅｌｌ）、ホームセル（Ｆｅｍｔｏｃｅｌｌ）、低電力ノード（ＬＰＮ）、リレー（Ｒｅｌａｙ）、スモールセル（Ｓｍａｌｌ  Ｃｅｌｌ）のうちの少なくとも１つである請求項５に記載のランダムアクセスチャネルリソース設定方法。
【請求項１８】
前記第１のノードが第２のノードへランダムアクセスチャネルリソース設定情報を送信するステップの後、
前記第２のノードが前記ランダムアクセスチャネル設定情報に基づいて、対応するランダムアクセスチャネルリソースを確定し、前記ランダムアクセスチャネルリソースを用いて前記第１のノードにランダムアクセスシグナリングを送信することを更に含む請求項５に記載のランダムアクセスチャネルリソース設定方法。
【請求項１９】
前記第２のノードが前記ランダムアクセスチャネル設定情報に基づいて、対応するランダムアクセスチャネルリソースを確定し、前記ランダムアクセスチャネルリソースを用いて前記第１のノードにランダムアクセスシグナリングを送信するステップの後、
前記第２のノードが送信した前記ランダムアクセスシグナリングに応答するように、前記第１のノードが前記第２のノードへランダムアクセス応答シグナリングを送信することを更に含む請求項１８に記載のランダムアクセスチャネルリソース設定方法。
【請求項２０】
前記ランダムアクセス応答シグナリングには、１つ又は複数の前記第２のノードのランダムアクセス応答情報が含まれる請求項１９に記載のランダムアクセスチャネルリソース設定方法。
【請求項２１】
システム又は前記第１のノードにより前記１つ又は複数の第２のノードを設定し、
又は
前記１つ又は複数の第２のノードは、
前記１つ又は複数の前記第２のノードが同一の前記タイプに属すること、
前記１つ又は複数の前記第２のノードがサポートする必要があるカバレッジ拡大レベルは同じであること、
前記１つ又は複数の前記第２のノードがサポートする必要があるランダムアクセスシーケンスの送信の繰り返し回数は同じであること、
前記１つ又は複数の前記第２のノードが計算して得たＲＡ−ＲＮＴＩは同じであること、のいずれか１つ又は任意の複数種のプロパティを有し、
又は
前記１つ又は複数の前記第２のノードのタイプはシステムによって設定され、
前記１つ又は複数の前記第２のノードがサポートする必要があるカバレッジ拡大レベルはシステムによって設定され、
前記１つ又は複数の前記第２のノードがサポートする必要があるランダムアクセスシーケンスの送信の繰り返し回数はシステムによって設定される請求項２０に記載のランダムアクセスチャネルリソース設定方法。
【請求項２２】
前記ランダムアクセス応答シグナリングの繰り返し送信の回数情報が前記第１のノードによって指示され、
好ましいのは、前記第１のノードは、
ダウンリンク制御情報において前記ランダムアクセス応答シグナリングの繰り返し送信の回数情報を指示すること、
前記第１のノードの送信したＰＢＣＨがサポートする最大繰り返し回数情報と、前記ランダムアクセス応答シグナリングの繰り返し送信の回数情報とは１つのマッピング関係が存在すること、
前記第１のノードの送信したＭＩＢ情報がサポートする最大繰り返し回数情報と、前記ランダムアクセス応答シグナリングの繰り返し送信の回数情報とは１つのマッピング関係が存在すること、
前記第１のノードの送信したＳＩＢ情報がサポートする最大繰り返し回数情報と、前記ランダムアクセス応答シグナリングの繰り返し送信の回数情報とは１つのマッピング関係が存在すること、
ＰＢＣＨがサポートする繰り返し回数情報と、前記ランダムアクセス応答シグナリングの繰り返し送信の回数情報とは１つのマッピング関係が存在すること、
ＭＩＢがサポートする繰り返し回数情報と、前記ランダムアクセス応答シグナリングの繰り返し送信の回数情報とは１つのマッピング関係が存在すること、
ＳＩＢがサポートする繰り返し回数情報と、前記ランダムアクセス応答シグナリングの繰り返し送信の回数情報とは１つのマッピング関係が存在すること、のうちの少なくとも１つの方式で前記ランダムアクセス応答シグナリングの繰り返し送信の回数情報を指示し、
又は
前記ランダムアクセス応答シグナリングの繰り返し送信の回数情報は前記第２のノードのタイプ又はカバレッジ拡大レベル又はサポートするランダムアクセスシーケンスの送信の繰り返し回数で指示される請求項１９に記載のランダムアクセスチャネルリソース設定方法。
【請求項２３】
第１のノード及び第２のノードを備え、
前記第１のノードは、前記第２のノードに１つ又は複数のランダムアクセスチャネル設定情報指示を含むランダムアクセスチャネルリソース設定情報を送信するように設定されるランダムアクセスチャネルリソース設定システム。
【請求項２４】
前記第２のノードは１つ又は複数の端末であり、又は１つ又は複数の端末グループである請求項２３に記載のランダムアクセスチャネルリソース設定システム。
【国際調査報告】
2016527831.tif 000066
2016527831.tif 000067
2016527831.tif 000068
2016527831.tif 000069